(57)【要約】【課題】病原物質等の各種標的を効率よく確実かつ簡便かつ迅速に検出可能で定量も可能な標的検出装置等の提供。【解決手段】直線偏光を照射する光照射手段と、検出標的と相互作用可能であり、前記光照射手段から照射された直線偏光を、楕円偏光として放射可能であり、前記検出標的と相互作用したときに、前記検出標的と相互作用する前とは異なる楕円偏光として放射可能な楕円偏光放射手段と、前記楕円偏光の進路に設けられ、前記楕円偏光を検出する楕円偏光検出手段とを有することを特徴とする標的検出装置。照射された直線偏光を楕円偏光として放射可能であり、検出標的と相互作用したときに、前記検出標的と相互作用する前に放射する楕円偏光とは異なる楕円偏光を放射可能な標的検出試薬。【選択図】        なし【特許請求の範囲】
【請求項１】
直線偏光を照射する光照射手段と、検出標的と相互作用可能であり、前記光照射手段から照射された直線偏光を、楕円偏光として放射可能であり、前記検出標的と相互作用したときに、前記検出標的と相互作用する前とは異なる楕円偏光として放射可能な楕円偏光放射手段と、前記楕円偏光の進路に設けられ、前記楕円偏光を検出する楕円偏光検出手段とを有することを特徴とする標的検出装置。
【請求項２】
楕円偏光検出手段が、特定の楕円偏光のみ透過可能であり、特定の楕円偏光が透過したことを検出可能である請求項１に記載の標的検出装置。
【請求項３】
楕円偏光検出手段が、楕円偏光板を透過した楕円偏光のみ検出可能である請求項２に記載の標的検出装置。
【請求項４】
楕円偏光検出手段が、楕円偏光放射手段から放射される楕円偏光の右回り円偏光と左回り円偏光との強度差を測定する請求項１から３のいずれかに記載の標的検出装置。
【請求項５】
右回り円偏光と左回り円偏光との強度が、光電子増倍管によって検出される請求項４に記載の標的検出装置。
【請求項６】
楕円偏光検出手段が、ＣＤスペクトルの変化を測定する請求項４から５のいずれかに記載の標的検出装置。
【請求項７】
ＣＤスペクトルが、円偏光二色性分散計によって測定される請求項６に記載の標的検出装置。
【請求項８】
楕円偏光放射手段が、楕円偏光を反射光及び透過光の少なくともいずれかとして放射する請求項１から７のいずれかに記載の標的検出装置。
【請求項９】
楕円偏光放射手段が、検出標的と相互作用可能である請求項１から８のいずれかに記載の標的検出装置。
【請求項１０】
楕円偏光放射手段が、膜状物を少なくとも有してなる請求項１から９のいずれかに記載の標的検出装置。
【請求項１１】
膜状物が基板上に配された請求項１０に記載の標的検出装置。
【請求項１２】
膜状物が照射された直線偏光を楕円偏光として放射可能な楕円偏光放射体で形成された請求項１０から１１のいずれかに記載の標的検出装置。
【請求項１３】
膜状物が、楕円偏光放射体の単分子膜及び該単分子膜の積層膜のいずれかである請求項１０から１２のいずれかに記載の標的検出装置。
【請求項１４】
楕円偏光放射体が、棒状有機分子である請求項１３に記載の標的検出装置。
【請求項１５】
楕円偏光放射体が、光学活性を有する請求項１３から１４のいずれかに記載の標的検出装置。
【請求項１６】
楕円偏光放射体が、生体高分子、芳香族ポリアミド、ポリアミド、ポリエステル、ウイルス、多糖類から選択される少なくともいずれかである請求項１５に記載の標的検出装置。
【請求項１７】
生体高分子が、αへリックス型ポリペプチド、核酸（ＲＮＡ、ＤＮＡ）の少なくともいずれかである請求項１６に記載の標的検出装置。
【請求項１８】
芳香族ポリアミドが、下記構造式（１）及び構造式（２）の少なくともいずれかである請求項１６から１７のいずれかに記載の標的検出装置。
構造式（１）
【化１】
2005017094.tif 000022
構造式（２）
【化２】
2005017094.tif 000023
【請求項１９】
ポリアミドが、下記構造式（３）及び構造式（４）の少なくともいずれかである請求項１６から１８のいずれかに記載の標的検出装置。
構造式（３）
【化３】
2005017094.tif 000024
構造式（４）
【化４】
2005017094.tif 000025
【請求項２０】
ポリエステルが、下記構造式（５）、構造式（６）及び構造式（７）から選択される少なくとも１種である請求項１６から１９のいずれかに記載の標的検出装置。
構造式（５）
【化５】
2005017094.tif 000026
構造式（６）
【化６】
2005017094.tif 000027
構造式（７）
【化７】
2005017094.tif 000028
【請求項２１】
ウイルスが、タバコモザイク病ウイルス、バクテリオファージの少なくともいずれかである請求項１６から２０のいずれかに記載の標的検出装置。
【請求項２２】
多糖類が、アミロース、セルロースの少なくともいずれかである請求項１６から２１のいずれかに記載の標的検出装置。
【請求項２３】
膜状物が塗布法、ＬＢ法、自己集積法、及びグラフト重合法から選択される少なくともいずれかの方法で形成された請求項１０から２２のいずれかに記載の標的検出装置。
【請求項２４】
基板が、半導体、セラミックス、金属、ガラス、石英ガラス及びプラスチックスから選択される少なくとも１種で形成される請求項１１から２３のいずれかに記載の標的検出装置。
【請求項２５】
楕円偏光放射体が、分子側鎖に検出標的と相互作用可能な標的捕捉部を有してなる請求項１２から２４のいずれかに記載の標的検出装置。
【請求項２６】
標的捕捉部が、物理吸着及び化学吸着の少なくともいずれかにより検出標的と相互作用可能である請求項２５に記載の標的検出装置。
【請求項２７】
標的捕捉部が、抗体、抗原、アレルゲン、酵素、酵素基質、補酵素、酵素阻害剤、ホスト化合物、ホルモン、ホルモンレセプター、蛋白質、血液蛋白質、組織蛋白質、細胞、細胞破砕物、核物質、ウイルス、ウイルス粒子、代謝産物、神経伝達物質、ハプテン、薬物、核酸、金属、金属錯体、微生物、寄生虫、細菌、ビオチン、アビジン、レクチン、糖、生理活性物質、生理活性物質受容体、環境物質、化学種及びこれらの誘導体から選択される少なくとも１種から形成される請求項２５から２６のいずれかに記載の標的検出装置。
【請求項２８】
ホスト化合物が、単分子系ホスト化合物、多分子系ホスト化合物、高分子系ホスト化合物及び無機系ホスト化合物から選択され、
該単分子系ホスト化合物が、シクロデキストリン、クラウン化合物、シクロファン、アザシクロファン、カリックスアレーン、シクロトリペラトリレン、スフェランド、キャビタンド、及び環状オリゴペプチドから選択され、
該多分子系ホスト化合物が、尿素、チオ尿素、デオキシコール酸、ペルヒドロトリフェニレン、トリ−ｏ−チモチドから選択され、
該高分子系ホスト化合物が、セルロース、デンプン、キチン、キトサン及びポリビニルアルコールから選択され、
該無機系ホスト化合物が、層間化合物、ゼオライト及びＨｏｆｍａｎｎ型錯体から選択される請求項２７に記載の標的検出装置。
【請求項２９】
金属錯体が、下記構造式（８）で表される請求項２７から２８のいずれかに記載の標的検出装置。
構造式（８）
【化８】
2005017094.tif 000029
【請求項３０】
光照射手段が、光源から出た光を直線偏光に偏光する請求項１から２９に記載の標的検出装置。
【請求項３１】
光照射手段における直線偏光が、円偏光変調器によって、右回り円偏光と左回り円偏光とが交互に出るように変調される請求項３０に記載の標的検出装置。
【請求項３２】
検出標的と相互作用可能な標的捕捉部を少なくとも有してなり、
照射された直線偏光を楕円偏光として放射し、前記標的捕捉部が前記検出標的と相互作用した後、前記楕円偏光と異なる楕円偏光を放射可能であり、該異なる楕円偏光を検出することにより該検出標的を検出するのに用いられる標的検出試薬。
【請求項３３】
標的検出試薬が、照射された直線偏光を楕円偏光として放射可能な楕円偏光放射体を有してなる請求項３２に記載の標的検出試薬。
【請求項３４】
楕円偏光放射体が、標的捕捉部を有する請求項３３に記載の標的検出試薬。
【請求項３５】
楕円偏光放射体が、棒状有機分子である請求項３４に記載の標的検出試薬。
【請求項３６】
検出標的と相互作用可能であり、楕円偏光として放射可能な楕円偏光放射手段に対して直線偏光を照射し、前記楕円偏光放射手段が、前記検出標的と相互作用したときに、前記検出標的と相互作用する前に放射する楕円偏光とは異なる楕円偏光を放射させる楕円偏光放射工程と、前記楕円偏光放射手段が、前記検出標的と相互作用した後の楕円偏光を検出する楕円偏光検出工程とを含むことを特徴とする標的検出方法。
【請求項３７】
検出標的と相互作用可能な請求項３２から３６のいずれかに記載の標的検出試薬に対して直線偏光を照射し、前記標的検出試薬が、前記検出標的と相互作用したときに、前記検出標的と相互作用する前に放射する楕円偏光とは異なる楕円偏光を放射させる楕円偏光放射工程と、前記検出標的試薬が、前記検出標的と相互作用した後の楕円偏光を検出する楕円偏光検出工程とを含むことを特徴とする標的検出方法。
【発明の詳細な説明】
【０００１】
【発明の属する技術分野】
本発明は、病原物質、生体物質、有毒物質等の各種標的を効率よく確実にかつ簡便にしかも高感度に検出可能な標的検出装置及び標的検出方法、並びに、標的検出試薬に関する。
【０００２】
【従来の技術】
従来より、病原物質、生体物質、有毒物質等の各種標的を検出する各種の方法が検討されてきており、例えば、ＥＬＩＳＡ等のエンザイム・イムノ・アッセイ法などが知られている。しかし、これらにおいては、高価な蛍光標識や危険な放射線マーカー等を使用しなければならない等の問題があった。
近時、蛍光標識や放射線マーカーを使用せずに、各種標的を検出する検出層による干渉光の干渉色変化等を検出することにより、各種標的を検出する装置や方法が提案されてきている。例えば、非特異性蛋白質層の膜厚変化を干渉色変化としてエリプソメータ等により測定する装置が提案されている（例えば、特許文献１〜２参照）。また、核酸鎖による光反射表面における厚み変化を干渉色変化として検出することが提案されている（例えば、特許文献３〜５参照）。また、光源から発した光を偏光子を介して試料表面に照射し、その反射光を偏光変調器により反射させ、偏光子を介して検出する装置が提案されている（例えば、特許文献６〜９参照）。また、非特異性蛋白質層の膜厚変化を干渉光の干渉色変化としてエリプソメータ等により測定すると共に該干渉光を偏光子を介して検出する装置が提案されている（例えば、特許文献１０参照）。
【０００３】
しかしながら、これらの場合、簡便かつ迅速な測定ができず、測定ノイズを拾い易く、測定誤差が大きく、測定感度が十分でないという問題があり、更に定量できないという問題がある。したがって、病原物質、生体物質、有毒物質等の各種標的を高価な測定装置等を用いることなく、測定誤差を小さくして効率よく簡便かつ迅速にしかも高感度に検出可能であり、更には定量も可能な標的検出装置及び標的検出方法、並びに、それらに好適に用いられる標的検出用試薬は未だ提供されていないのが現状であり、これらの開発が切に望まれている。
【０００４】
【特許文献１】
特開２００２−１２２６０３号公報
【特許文献２】
特開２００２−１１６２０８号公報
【特許文献３】
特公平７−３２７２０号公報
【特許文献４】
特開平１０−２８８６１６号公報
【特許文献５】
特開２００１−２３５４７３号公報
【特許文献６】
特開昭６１−３４４４２号公報
【特許文献７】
特開平４−７８１２２号公報
【特許文献８】
特公昭６２−５７９３６号公報
【特許文献９】
米国特許明細書第４，３３２，４７６号明細書
【特許文献１０】
特開２００２−１２２６０３号公報
【０００５】
【発明が解決しようとする課題】
本発明は、前記要望に応え、従来における問題を解決し、以下の目的を達成することを課題とする。即ち、本発明は、病原物質、生体物質、有毒物質等の各種標的を高価な測定装置等を用いることなく、測定誤差を小さくして効率よく簡便かつ迅速にしかも高感度に検出可能であり、更には定量も可能な標的検出装置及び標的検出方法並びに検出標的試薬を提供することを目的とする。
【０００６】
【課題を解決するための手段】
前記課題を解決するための手段は、以下の通りである。即ち、
＜１＞  直線偏光を照射する光照射手段と、検出標的と相互作用可能であり、前記光照射手段から照射された直線偏光を、楕円偏光として放射可能であり、前記検出標的と相互作用したときに、前記検出標的と相互作用する前とは異なる楕円偏光として放射可能な楕円偏光放射手段と、前記楕円偏光の進路に設けられ、前記楕円偏光を検出する楕円偏光検出手段とを有することを特徴とする標的検出装置である。該＜１＞に記載の標的検出装置においては、前記光照射手段が直線偏光を照射する。前記楕円偏光放射手段が、前記光照射手段から照射された直線偏光を楕円偏光として放射する。前記楕円偏光放射手段は、前記検出標的と相互作用可能であり、該検出標的と相互作用したときに、前記検出標的と相互作用する前とは異なる楕円偏光を放射する。前記楕円偏光検出手段が、前記検出標的と相互作用する前とは異なる楕円偏光を検出する。このため、該楕円偏光検出手段が前記検出標的と相互作用する前とは異なる楕円偏光を検出することにより、前記検出標的が前記楕円放射手段と相互作用したこと、即ち、試料等中における該検出標的の存在が検出される。
【０００７】
＜２＞  楕円偏光検出手段が、特定の楕円偏光のみ透過可能であり、特定の楕円偏光が透過したことを検出可能である前記＜１＞に記載の標的検出装置である。該＜２＞に記載の標的検出装置においては、前記楕円偏光検出手段が、特定の楕円偏光のみ透過可能である。このため、該楕円偏光検出手段を、前記検出標的が前記楕円偏光放射手段と相互作用する前においては、前記特定の楕円偏光を透過不可能とし、かつ、前記検出標的が前記楕円偏光放射手段と相互作用した後においては、前記特定の楕円偏光を透過可能とすることにより、通常のスペクトル曲線を測定し、その波長変化だけでは標的の存在を確認することが極めて困難な場合、即ち極僅かな波長変化（波長シフト）しかない場合であっても、前記楕円偏光検出手段が前記楕円偏光の透過を検出したことをもって前記検出標的が前記楕円偏光放射手段と相互作用したこと、即ち試料等中における該検出標的の存在が容易にかつ簡便にしかも高感度に検出される。
【０００８】
＜３＞  楕円偏光検出手段が、楕円偏光板を透過した楕円偏光のみ検出可能である前記＜２＞に記載の標的検出装置である。
【０００９】
＜４＞  楕円偏光検出手段が、楕円偏光放射手段から放射される楕円偏光の右回り円偏光と左回り円偏光との強度差を測定する前記＜１＞から＜３＞のいずれかに記載の標的検出装置である。該＜４＞に記載の標的検出装置においては、前記右回り円偏光と前記左回り円偏光との強度差を測定することにより、前記楕円偏光の存在が間接的に検出される。
【００１０】
＜５＞  右回り円偏光と左回り円偏光との強度が、光電子増倍管によって検出される前記＜４＞に記載の標的検出装置である。該＜５＞に記載の標的検出装置においては、前記右回り円偏光と前記左回り円偏光との強度を測定することにより、これらの強度差から楕円偏光の存在が間接的に検出される。
【００１１】
＜６＞  楕円偏光検出手段が、ＣＤスペクトルの変化を測定する前記＜４＞から＜５＞のいずれかに記載の標的検出装置である。該＜６＞に記載の標的検出装置においては、前記右回り円偏光と前記左回り円偏光との強度を測定することにより、ＣＤスペクトルを測定することができる。前記楕円偏光放射手段が前記検出標的と相互作用することにより、前記楕円偏光放射手段が、前記検出標的と相互作用する前とは異なる円二色性を示すため、ＣＤスペクトルが変化することにより、前記楕円偏光の変化を間接的に測定でき、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が特定の楕円偏光を間接的に検出したことをもって前記検出標的が前記楕円偏光放射手段と相互作用したこと、即ち試料等中における該検出標的の存在を簡便にかつ迅速にしかも高感度に検出することができる。また、前記楕円偏光放射手段と前記検出標的とが相互作用する前後におけるＣＤスペクトルの強度差（例えば、前記楕円偏光放射体が棒状有機分子から形成されている場合には、棒状有機分子において観られる特有の波長（２００〜２２０ｎｍ付近）についての強度差）と、前記楕円偏光放射手段による前記検出標的の捕捉量との関係を示す検量線を予め作成しておき、前記検出標的を含有する試料について該検出標的の含有量を測定したいときに、前記楕円偏光放射手段と前記検出標的とが相互作用する前後におけるＣＤスペクトルの強度差を測定すれば、前記検量線から前記楕円偏光放射手段により捕捉された前記検出標的の量を定量することができる。
【００１２】
＜７＞  ＣＤスペクトルが、円偏光二色性分散計によって測定される前記＜６＞に記載の標的検出装置である。
【００１３】
＜８＞  楕円偏光放射手段が、楕円偏光を反射光及び透過光の少なくともいずれかとして放射する前記＜１＞から＜７＞のいずれかに記載の標的検出装置である。該＜８＞に記載の標的検出装置においては、楕円偏光検出手段が、反射光及び透過光の少なくともいずれかとして放射する前記楕円偏光の進路に設けられ、該標的検出装置は反射型タイプ又は透過型タイプの装置として設計される。
【００１４】
＜９＞  楕円偏光放射手段が、検出標的と相互作用可能である前記＜１＞から＜８＞のいずれかに記載の標的検出装置である。該＜９＞に記載の標的検出装置においては、前記楕円偏光放射手段が、検出標的と相互作用したときに、光照射手段によって照射された直線偏光を、前記検出標的と相互作用する前とは異なる楕円偏光として放射する。
【００１５】
＜１０＞  楕円偏光放射手段が、膜状物を少なくとも有してなる前記＜１＞から＜９＞のいずれかに記載の標的検出装置である。該＜１０＞に記載の標的検出装置においては、楕円偏光放射手段における膜状物において、前記光照射手段より照射された直線偏光が楕円偏光として放射される。
＜１１＞  膜状物が基板上に配された前記＜１０＞に記載の標的検出装置である。該＜１１＞に記載の標的検出装置においては、前記膜状物が前記基板上に設けられているので、該膜状物の構造上の安定性、表面の平滑性などに優れている。
＜１２＞  膜状物が照射された直線偏光を楕円偏光として放射可能な楕円偏光放射体で形成された前記＜１０＞から＜１１＞のいずれかに記載の標的検出装置である。
＜１３＞  膜状物が、楕円偏光放射体の単分子膜及び該単分子膜の積層膜のいずれかである前記＜１０＞から＜１２＞のいずれかに記載の標的検出装置である。
【００１６】
＜１４＞  楕円偏光放射体が、棒状有機分子である前記＜１３＞に記載の標的検出装置である。
＜１５＞  楕円偏光放射体が、光学活性を有する前記＜１３＞から＜１４＞のいずれかに記載の標的検出装置である。
＜１６＞  楕円偏光放射体が、生体高分子、芳香族ポリアミド、ポリアミド、ポリエステル、ウイルス、多糖類から選択される少なくともいずれかである前記＜１５＞に記載の標的検出装置である。
＜１７＞  生体高分子が、αへリックス型ポリペプチド、核酸（ＲＮＡ、ＤＮＡ）の少なくともいずれかである前記＜１６＞に記載の標的検出装置である。
＜１８＞  芳香族ポリアミドが、下記構造式（１）及び構造式（２）の少なくともいずれかである前記＜１６＞から＜１７＞に記載の標的検出装置である。
構造式（１）
【化９】
2005017094.tif 000002
構造式（２）
【化１０】
2005017094.tif 000003
＜１９＞  ポリアミドが、下記構造式（３）及び構造式（４）の少なくともいずれかである前記＜１６＞から＜１８＞のいずれかに記載の標的検出装置である。
構造式（３）
【化１１】
2005017094.tif 000004
構造式（４）
【化１２】
2005017094.tif 000005
＜２０＞  ポリエステルが、下記構造式（５）、構造式（６）及び構造式（７）から選択される少なくとも１種である前記＜１６＞から＜１９＞のいずれかに記載の標的検出装置である。
構造式（５）
【化１３】
2005017094.tif 000006
構造式（６）
【化１４】
2005017094.tif 000007
構造式（７）
【化１５】
2005017094.tif 000008
＜２１＞  ウイルスが、タバコモザイク病ウイルス、バクテリオファージの少なくともいずれかである前記＜１６＞から＜２０＞のいずれかに記載の標的検出装置である。
＜２２＞    多糖類が、アミロース、セルロースの少なくともいずれかである前記＜１６＞から＜２１＞のいずれかに記載の標的検出装置である。
【００１７】
＜２３＞  膜状物が塗布法、ＬＢ法、自己集積法、及びグラフト重合法から選択される少なくともいずれかの方法で形成された前記＜１０＞から＜２２＞のいずれかに記載の標的検出装置である。
＜２４＞  基板が、半導体、セラミックス、金属、ガラス及びプラスチックスから選択される少なくとも１種で形成された前記＜１１＞から＜２３＞のいずれかに記載の標的検出装置である。
【００１８】
＜２５＞  楕円偏光放射体が、分子側鎖に検出標的と相互作用可能な標的捕捉部を有してなる前記＜１２＞から＜２４＞のいずれかに記載の標的検出装置である。該＜２５＞に記載の標的検出装置においては、前記楕円偏光放射体における標的捕捉部が、前記検出標的と相互作用することにより、前記光照射手段から照射された直線偏光が、前記検出標的と前記標的捕捉部とが相互作用する前とは異なる楕円偏光として放射され、該楕円偏光を前記楕円偏光検出手段が検出することにより、試料中等の前記検出標的が検出される。
【００１９】
＜２６＞  標的捕捉部が、物理吸着及び化学吸着の少なくともいずれかにより検出標的と相互作用可能である前記＜２５＞に記載の標的検出装置である。
【００２０】
＜２７＞  標的捕捉部が、抗体、抗原、アレルゲン、酵素、酵素基質、補酵素、酵素阻害剤、ホスト化合物、ホルモン、ホルモンレセプター、蛋白質、血液蛋白質、組織蛋白質、細胞、細胞破砕物、核物質、ウイルス、ウイルス粒子、代謝産物、神経伝達物質、ハプテン、薬物、核酸、金属、金属錯体、微生物、寄生虫、細菌、ビオチン、アビジン、レクチン、糖、生理活性物質、生理活性物質受容体、環境物質、化学種及びこれらの誘導体から選択される少なくとも１種から形成される前記＜２５＞から＜２６＞のいずれかに記載の標的検出装置である。該＜２７＞に記載の標的検出装置においては、前記標的捕捉部が前記酵素で形成されている場合には、前記検出標的は、例えば該酵素の補酵素であり、前記補酵素で形成されている場合には、例えば該補酵素を補酵素とする酵素であり、前記ホスト化合物で形成されている場合には、例えば該ホスト化合物のゲスト化合物（包接される成分）であり、前記抗体で形成されている場合には、例えば該抗体の抗原としてのタンパクであり、前記タンパクで形成されている場合には、例えば該タンパクを抗原とする抗体であり、前記核酸で形成されている場合には、例えば該核酸と相補的な核酸、チューブリン、キチン等であり、前記ホルモンレセプターで形成されている場合には、例えば該ホルモンレセプターに受容されるホルモンであり、前記レクチンで形成されている場合には、例えば該レクチンに受容させる糖であり、前記生理活性物質受容体で形成されている場合には、例えば該生理活性物質受容体に受容される生理活性物質である。
【００２１】
＜２８＞  ホスト化合物が、単分子系ホスト化合物、多分子系ホスト化合物、高分子系ホスト化合物及び無機系ホスト化合物から選択され、
該単分子系ホスト化合物が、シクロデキストリン、クラウン化合物、シクロファン、アザシクロファン、カリックスアレーン、シクロトリペラトリレン、スフェランド、キャビタンド、及び環状オリゴペプチドから選択され、
該多分子系ホスト化合物が、尿素、チオ尿素、デオキシコール酸、ペルヒドロトリフェニレン、トリ−ｏ−チモチドから選択され、
該高分子系ホスト化合物が、セルロース、デンプン、キチン、キトサン及びポリビニルアルコールから選択され、
該無機系ホスト化合物が、層間化合物、ゼオライト及びＨｏｆｍａｎｎ型錯体から選択される前記＜２７＞に記載の標的検出装置である。
＜２９＞  金属錯体が、下記構造式（８）で表される前記＜２７＞から＜２８＞のいずれかに記載の標的検出装置である。
構造式（８）
【化１６】
2005017094.tif 000009
【００２２】
＜３０＞  光照射手段が、光源から出た光を直線偏光に偏光する前記＜１＞から＜２９＞に記載の標的検出装置である。
＜３１＞  光照射手段における直線偏光が、円偏光変調器によって、右回り円偏光と左回り円偏光とが交互に出るように変調される前記＜３０＞に記載の標的検出装置である。
【００２３】
＜３２＞  検出標的と相互作用可能な標的捕捉部を少なくとも有してなり、
照射された直線偏光を楕円偏光として放射し、前記標的捕捉部が前記検出標的と相互作用した後、前記楕円偏光と異なる楕円偏光を放射可能であり、該異なる楕円偏光を検出することにより該検出標的を検出するのに用いられる標的検出試薬である。該＜３２＞に記載の標的検出試薬においては、前記光照射手段から照射された直線偏光を、前記標的捕捉部と前記検出標的とが相互作用した後に、前記検出標的と相互作用する前とは異なる楕円偏光として放射する。このため、該標的検出試薬は、前記＜１＞から＜３１＞に記載の標的検出装置における楕円偏光放射手段としても好適に使用可能である。
【００２４】
＜３３＞  標的検出試薬が、照射された直線偏光を楕円偏光として放射可能な楕円偏光放射体を有してなる前記＜３２＞に記載の標的検出試薬である。
＜３４＞  楕円偏光放射体が、標的捕捉部を有する前記＜３３＞に記載の標的検出試薬である。
＜３５＞  楕円偏光放射体が、棒状有機分子である前記＜３４＞に記載の標的検出試薬である。
【００２５】
＜３６＞  検出標的と相互作用可能であり、楕円偏光として放射可能な楕円偏光放射手段に対して直線偏光を照射し、前記楕円偏光放射手段が、前記検出標的と相互作用したときに、前記検出標的と相互作用する前に放射する楕円偏光とは異なる楕円偏光を放射させる楕円偏光放射工程と、前記楕円偏光放射手段が、前記検出標的と相互作用した後の楕円偏光を検出する楕円偏光検出工程とを含むことを特徴とする標的検出方法である。該＜３６＞に記載の標的検出方法においては、前記楕円偏光放射工程において、楕円偏光放射手段に対して、直線偏光を照射し、前記楕円偏光放射手段が前記検出標的と相互作用するときに、前記検出標的と相互作用する前に放射する楕円偏光とは異なる楕円偏光を放射させる。前記楕円偏光検出工程において、前記楕円偏光放射手段が前記検出標的と相互作用する前とは異なる楕円偏光を検出する。このため、該楕円偏光検出手段が検出した楕円偏光により、前記検出標的が前記楕円偏光放射手段と相互作用したこと、即ち、試料中等における該検出標的の存在が簡便にしかも高感度に検出される。
【００２６】
＜３７＞  検出標的と相互作用可能な前記＜３２＞から＜３５＞のいずれかに記載の標的検出試薬に対して直線偏光を照射し、前記標的検出試薬が、前記検出標的と相互作用したときに、前記検出標的と相互作用する前に放射する楕円偏光とは異なる楕円偏光を放射させる楕円偏光放射工程と、前記検出標的試薬が、前記検出標的と相互作用した後の楕円偏光を検出する楕円偏光検出工程とを含むことを特徴とする標的検出方法である。該＜３７＞に記載の標的検出方法においては、前記楕円偏光放射工程において、前記標的検出試薬に対して、直線偏光を照射し、前記標的検出試薬が前記検出標的と相互作用するときに、前記検出標的と相互作用する前とは異なる楕円偏光を放射させる。前記楕円偏光検出工程において、前記標的検出試薬が前記検出標的と相互作用する前とは異なる楕円偏光を検出する。このため、前記楕円偏光検出工程において、前記楕円偏光検出手段が楕円偏光により、前記検出標的が前記検出標的試薬と相互作用したこと、即ち、試料中等における該検出標的の存在が簡便にしかも高感度に検出される。
【００２７】
【発明の実施の形態】
（標的検出装置）
本発明の標的検出装置は、光照射手段と、楕円偏光放射手段と、楕円偏光検出手段とを有してなり、更に必要に応じて適宜選択したその他の手段を有してなる。
【００２８】
＜光照射手段＞
前記光照射手段は、直線偏光を放射する機能を有してなり、必要に応じて適宜選択したその他の機能を有してなる。
前記光照射手段は、直線偏光を照射する機能を有する限り特に制限はなく、目的に応じて公知のものの中から適宜選択することができ、例えば、光源から出た光をダブルプリズムモノクロメーターによって単色直線偏光として照射する装置、などが挙げられ、更に前記直線偏光を円偏光変調器（ＣＤモジュレータ）によって、右回り円偏光と左回り円偏光とが交互に出るように変調できる機能を有するもの、などが好ましい。前記円偏光変調器により、前記直線偏光が前記右回り円偏光と前記左回り円偏光とが交互に出るように変調されることによって、前記楕円偏光放射手段に照射された前記直線偏光を楕円偏光として放射可能とする点で有利である。
【００２９】
前記光源としては、目的に応じて公知のものの中から適宜選択することができ、例えば、キセノンランプ等のハロゲンランプ、などが挙げられる。
前記円偏光変調器としては、目的に応じて公知のものの中から適宜選択することができ、例えば、ＮＨ４Ｈ２ＰＯ４又はＫＨ２ＰＯ４結晶に電圧をかけたときの複屈折率を用いたポッケルスセル、融解石英のひずみによる屈折率の異方性を利用したピエゾエラスティックモジュレーター、などが挙げられ、残留ひずみが少なく性能がよい点で、融解石英のひずみによる屈折率の異方性を利用したピエゾエラスティックモジュレーターが好ましい。
【００３０】
＜楕円偏光放射手段＞
前記楕円偏光放射手段は、前記光照射手段から照射された直線偏光を楕円偏光として放射するとともに、検出標的と相互作用可能であり、前記検出標的と相互作用したときに、前記検出標的と相互作用する前とは異なる楕円偏光として放射する機能を有してなり、必要に応じて適宜選択したその他の機能を有してなる。前記放射は、反射光としてであってもよいし、透過光としてであってもよい。
【００３１】
前記楕円偏光放射手段としては、前記機能を有する限り特に制限はなく、目的に応じて適宜選択することができ、例えば、膜状物を少なくとも有してなるもの、などが挙げられる。
これらの中でも、膜状物を基板上に配されてなるもの、が好ましい。この場合、前記膜状物が前記基板上に配されているので、該膜状物の構造上の安定性、表面平滑性に優れ、検出誤差を小さくすることができ、また、前記膜状物のみを、他の前記機能を有する膜状物に代えて使用することができる点で好ましい。
【００３２】
−基板−
前記基板としては、前記膜状物を表面に配置可能である限り、特に制限はなく、目的に応じて適宜選択することができ、例えば、検出誤差を小さくする観点からは、表面平滑性に優れるものが好ましく、例えば、半導体、セラミックス、金属、ガラス、石英ガラス及びプラスチックスから選択される少なくとも１種で形成されたもの、などが好適に挙げられ、また、干渉フィルタ、色素フィルタなども好適に挙げられる。なお、前記半導体としては、公知のものの中から適宜選択することができ、例えば、シリコンなどが好適に挙げられる。
【００３３】
−膜状物−
前記膜状物としては、特に制限はなく、目的に応じて適宜選択することができ、例えば、楕円偏光放射体で形成されたもの、などが好適に挙げられる。
【００３４】
−−楕円偏光放射体−−
前記楕円偏光放射体は、照射された直線偏光を楕円偏光として放射する機能を少なくとも有してなり、必要に応じてその他の機能を有してなる。
前記楕円偏光放射体としては、照射された直線偏光を楕円偏光として放射可能である限り、特に制限はなく、目的に応じて適宜選択することができ、例えば、棒状無機分子、棒状有機分子などが挙げられる。
これらは、１種単独で使用してもよいし、２種以上を併用してもよい。これらの中でも、２００〜２２０ｎｍの波長付近に特有のＣＤスペクトルを観察することができること、らせん構造中に標的捕捉部がある場合には、該標的捕捉部もらせん構造をとるため、前記標的捕捉部に前記検出標的が相互作用したときに、該らせん構造が大きく変化し、これに伴って円二色性も大きく変化すること、前記検出標的と相互作用しやすく、分子の加工が容易であり、前記膜状物の形成が容易であり、該膜状物の裏面の表面性状が平滑でない場合でもその反対面である表面における平滑性の維持が容易であること、などの点で棒状有機分子が好ましい。
【００３５】
前記楕円偏光放射体としては、光学活性を有するものが、該楕円偏光放射体自体が、照射された直線偏光の右回り円偏光と左回り円偏光との吸光度に差を生じさせることにより、楕円偏光として放射可能な点で好適である。ここで、物質に光が照射された場合に、照射された直線偏光の右回り円偏光と左回り円偏光との吸光度に差を生じさせる現象のことを円二色性という。
【００３６】
前記楕円偏光放射体としては、光学活性を有する限り特に制限はなく、目的に応じて適宜選択することができ、例えば、生体高分子、ポリアミド、芳香族ポリアミド、多糖類、ポリエステル、ウイルス、などが挙げられる。
【００３７】
前記生体高分子としては、例えば、繊維状タンパク、αヘリックス型ポリペプチド、核酸（ＤＮＡ、ＲＮＡ）などが好適に挙げられる。該繊維状タンパクとしては、例えば、α−ケラチン、ミオシン、エピダーミン、フィブリノゲン、トロポマイシン、絹フィブロイン等のαヘリックス構造を有するもの、などが挙げられる。
前記多糖類としては、例えば、セルロース、アミロース、などが好適に挙げられる。前記セルロースとしては、例えば、ハイドロキシプロピルセルロース等が挙げられる。
前記ポリアミドとしては、例えば、下記構造式（３）、構造式（４）によって示されるもの、などが好適に挙げられる。
【００３８】
構造式（３）
【化１７】
2005017094.tif 000010
【００３９】
構造式（４）
【化１８】
2005017094.tif 000011
前記芳香族ポリアミドとしては、例えば、下記構造式（１）、構造式（２）によって示されるもの、などが好適に挙げられる。
【００４０】
構造式（１）
【化１９】
2005017094.tif 000012
【００４１】
構造式（２）
【化２０】
2005017094.tif 000013
前記ポリエステルとしては、例えば、下記構造式（５）、構造式（６）、構造式（７）によって示されるもの、などが挙げられる。
【００４２】
構造式（５）
【化２１】
2005017094.tif 000014
【００４３】
構造式（６）
【化２２】
2005017094.tif 000015
【００４４】
構造式（７）
【化２３】
2005017094.tif 000016
【００４５】
前記ウイルスとしては、例えば、タバコモザイク病ウイルス、バクテリオファージ、などが挙げられる。
【００４６】
前記楕円偏光放射体の中でも、２００〜２２０ｎｍの波長付近に特有のＣＤスペクトルを観察することができること、また、らせん構造中に標的捕捉部があるときには、該標的捕捉部もらせん構造をとるため、前記標的捕捉部に前記検出標的が相互作用したときに、該らせん構造が大きく変化し、これに伴って円二色性も大きく変化すること、などの点で分子がらせん構造を有するらせん状分子が好ましい。この場合、前記膜状物の裏面の表面性状（例えば、前記基材の表面性状）が平滑でない場合でもその反対面である表（おもて）面（前記光照射手段による光の入射面）における平滑性の維持が容易であり、表面が平滑でない場合に生ずる測定誤差を小さくさせることができる。なお、前記表面の平滑性が維持される場合には、干渉色も観察できる。
【００４７】
前記らせん状分子としては、上述したものの内、αヘリックス型ポリペプチド、ＤＮＡ、アミロースなどが好適に挙げられる。
【００４８】
−−−αヘリックス型ポリペプチド−−−
前記αヘリックス型ポリペプチドは、ポリペプチドの二次構造の一つであり、アミノ酸３．６残基ごとに１回転（１らせんを形成）し、４番目ごとのアミノ酸のイミド基（−ＮＨ−）とカルボニル基（−ＣＯ−）との間に螺旋軸とほぼ平行な水素結合を作り、７アミノ酸を一単位として繰り返すことによりエネルギー的に安定な構造を有している。
前記αヘリックス型ポリペプチドのらせん方向としては、特に制限はなく、右巻きであってもよいし、左巻きであってもよい。なお、天然には安定性の点から前記らせん方向が右巻きのものしか存在しない。
【００４９】
前記αヘリックス型ポリペプチドを形成するアミノ酸としては、αヘリックス構造を形成可能であれば特に制限はなく、目的に応じて適宜選択することができるが、該αヘリックス構造を形成し易いものが好ましく、このようなアミノ酸としては、例えば、アスパラギン酸（Ａｓｐ）、グルタミン酸（Ｇｌｕ）、アルギニン（Ａｒｇ）、リジン（Ｌｙｓ）、ヒスチジン（Ｈｉｓ）、アスパラギン（Ａｓｎ）、グルタミン（Ｇｌｎ）、セリン（Ｓｅｒ）、スレオニン（Ｔｈｒ）、アラニン（Ａｌａ）、バリン（Ｖａｌ）、ロイシン（Ｌｅｕ）、イソロイシン（Ｉｌｅ）、システイン（Ｃｙｓ）、メチオニン（Ｍｅｔ）、チロシン（Ｔｙｒ）、フェニルアラニン（Ｐｈｅ）、トリプトファン（Ｔｒｐ）などが好適に挙げられる。これらは、１種単独で使用されてもよいし、２種以上が併用されてもよい。
【００５０】
前記αヘリックス型ポリペプチドは、前記アミノ酸を適宜選択することにより、親水性、疎水性、両親媒性のいずれにも設計可能であるが、前記親水性とする場合には、前記アミノ酸としては、セリン（Ｓｅｒ）、スレオニン（Ｔｈｒ）、アスパラギン酸（Ａｓｐ）、グルタミン酸（Ｇｌｕ）、アルギニン（Ａｒｇ）、リジン（Ｌｙｓ）、アスパラギン（Ａｓｎ）、グルタミン（Ｇｌｎ）などが好適に挙げられ、前記疎水性とする場合には、前記アミノ酸としては、フェニルアラニン（Ｐｈｅ）、トリプトファン（Ｔｒｐ）、イソロイシン（Ｉｌｅ）、チロシン（Ｔｙｒ）、メチオニン（Ｍｅｔ）、ロイシン（Ｌｅｕ）、バリン（Ｖａｌ）などが挙げられる。
前記αヘリックス型ポリペプチドを構成するアミノ酸としては、特に制限はなく、例えば、Ｌ−アミノ酸、Ｄ−アミノ酸、これらの側鎖部分が修飾された誘導体などのいずれであってもよい。
【００５１】
また、前記αヘリックス型ポリペプチドにおいては、該αヘリックスを形成する前記アミノ酸における、ペプチド結合を構成しないカルボキシル基を、エステル化することにより疎水性にすることができ、一方、該エステル化されたカルボキシル基を加水分解することにより親水性にすることができる。
【００５２】
前記αヘリックス型ポリペプチドにおけるアミノ酸の結合個数（重合度）としては、特に制限はなく目的に応じて適宜選択することができるが、１０〜５，０００であるのが好ましい。
前記結合個数（重合度）が、１０未満であると、ポリアミノ酸が安定なαヘリックスを形成できなくなることがあり、５，０００を超えると、垂直配向させることが困難となることがある。
【００５３】
前記αヘリックス型ポリペプチドの具体例としては、ポリ（γ−メチル−Ｌ−グルタメート）、ポリ（γ−エチル−Ｌ−グルタメート）、ポリ（γ−ベンジル−Ｌ−グルタメート）、ポリ（Ｌ−グルタミン酸−γ−ベンジル）、ポリ（ｎ−ヘキシル−Ｌ−グルタメート）等のポリグルタミン酸誘導体、ポリ（β−ベンジル−Ｌ−アスパルテート）等のポリアスパラギン酸誘導体、ポリ（Ｌ−ロイシン）、ポリ（Ｌ−アラニン）、ポリ（Ｌ−メチオニン）、ポリ（Ｌ−フェニルアラニン）、ポリ（Ｌ−リジン）−ポリ（γ−メチル−Ｌ−グルタメート）、などが好適に挙げられる。
【００５４】
前記αヘリックス型ポリペプチドとしては、公知文献等に記載の方法に準じて適宜合成乃至調製したものであってもよいし、市販品を使用してもよい。
【００５５】
前記αヘリックス型ポリペプチドの一合成例として、ブロックコポリペプチド〔ポリ（Ｌ−リジン）２５−ポリ（γ−メチル−Ｌ−グルタメート）６０〕ＰＬＬＺ２５−ＰＭＬＧ６０の合成例を示すと、次の通りである。即ち、ブロックコポリペプチド〔ポリ（Ｌ−リジン）２５−ポリ（γ−メチル−Ｌ−グルタメート）６０〕ＰＬＬＺ２５−ＰＭＬＧ６０は、下記式で示したように、ｎ−ヘキシルアミンを開始剤として用い、Ｎε−カルボベンゾキシ  Ｌ−リジン  Ｎα−カルボキシ酸無水物（ＬＬＺ−ＮＣＡ）の重合を行い、続けてγ−メチル  Ｌ−グルタメート  Ｎ−カルボキシ酸無水物（ＭＬＧ−ＮＣＡ）の重合を行うことにより合成することができる。
【００５６】
【化２４】
2005017094.tif 000017
【００５７】
前記αヘリックス型ポリペプチドの合成は、上記方法に限られず、遺伝子工学的方法により行うこともでき、例えば、前記目的とするポリペプチドをコードするＤＮＡを組み込んだ発現ベクターにより宿主細胞を形質転換し、この形質転換体を培養すること等により行うことができる。
前記発現ベクターとしては、例えば、プラスミドベクター、ファージベクター、プラスミドとファージとのキメラベクター、などが挙げられる。
前記宿主細胞としては、大腸菌、枯草菌等の原核微生物、酵母菌等の真核微生物、動物細胞などが挙げられる。
【００５８】
また、前記αヘリックス型ポリペプチドは、α−ケラチン、ミオシン、エピダーミン、フィブリノゲン、トロポマイシン、絹フィブロイン等の天然の繊維状蛋白からそのαヘリックス構造部分を切り出すことにより調製してもよい。
【００５９】
−−−ＤＮＡ−−−
前記ＤＮＡは、１本鎖ＤＮＡであってもよいが、安定に棒状を維持することができる等の点で２本鎖ＤＮＡであるのが好ましい。
前記２本鎖ＤＮＡは、一つの中心軸の回りに、右巻きらせん状の２本のポリヌクレオチド鎖が互いに逆方向に延びた状態で位置して形成された２重らせん構造を有する。
前記ポリヌクレオチド鎖は、アデニン（Ａ）、チミン（Ｔ）、グアニン（Ｇ）及びシトシン（Ｃ）の４種類の核酸塩基で形成されており、前記ポリヌクレオチド鎖において前記核酸塩基は、中心軸に対して垂直な平面内で互いに内側に突出した形で存在して、いわゆるワトソン−クリック型塩基対を形成し、アデニンに対してはチミンが、グアニンに対してはシトシンが、それぞれ特異的に水素結合している。その結果、前記２本鎖ＤＮＡにおいては、２本のポリペプチド鎖が互いに相補的に結合している。
【００６０】
前記ＤＮＡは、公知のＰＣＲ（Ｐｏｌｙｍｅｒａｓｅ  Ｃｈａｉｎ  Ｒｅａｃｔｉｏｎ）法、ＬＣＲ（Ｌｉｇａｓｅ  ｃｈａｉｎ  Ｒｅａｃｔｉｏｎ）法、３ＳＲ（Ｓｅｌｆ−ｓｕｓｔａｉｎｅｄ  Ｓｅｑｕｅｎｃｅ  Ｒｅｐｌｉｃａｔｉｏｎ）法、ＳＤＡ（Ｓｔｒａｎｄ  Ｄｉｓｐｌａｃｅｍｅｎｔ  Ａｍｐｌｉｆｉｃａｔｉｏｎ）法等により調製することができるが、これらの中でもＰＣＲ法が好適である。
【００６１】
また、前記ＤＮＡは、天然の遺伝子から制限酵素により酵素的に直接切り出して調製してもよいし、遺伝子クローニング法により調製してもよいし、化学合成法により調製してもよい。
【００６２】
前記遺伝子クローニング法の場合、例えば、正常核酸を増幅したものをプラスミドベクター、ファージベクター、プラスミドとファージとのキメラベクター等から選択されるベクターに組み込み、大腸菌、枯草菌等の原核微生物、酵母等の真核微生物、動物細胞などから選択される増殖可能な任意の宿主に導入することにより前記ＤＮＡを大量に調製することができる。
前記化学合成法としては、例えば、トリエステル法、亜リン酸法などのような、液相法又は不溶性の担体を使った固相合成法などが挙げられる。前記化学合成法の場合、公知の自動合成機等を用い、１本鎖のＤＮＡを大量に調製した後、アニーリングを行うことにより、２本鎖ＤＮＡを調製することができる。
【００６３】
−−−アミロース−−−
前記アミロースは、高等植物の貯蔵のためのホモ多糖類であるデンプンを構成するＤ−グルコースがα−１，４結合で直鎖状につながったらせん構造を有する多糖類である。
前記アミロースの分子量としては、数平均分子量で、数千〜１５万程度が好ましい。
前記アミロースは、市販のものであってもよいし、公知の方法に従って適宜調製したものであってもよい。
なお、前記アミロースは、その一部にアミロペクチンが含まれていてもよい。
【００６４】
前記棒状有機分子の長さとしては、特に制限はなく目的に応じて適宜選択することができる。
前記棒状有機分子の直径としては、特に制限はないが、前記αヘリックス型ポリペプチドの場合には０．８〜２．０ｎｍ程度である。
【００６５】
前記棒状有機分子は、その全部が親油性（疎水性）又は親水性であってもよく、また、その一部が親油性（疎水性）又は親水性であり、他の部分が該一部と逆の親性を示す両親媒性であってもよい。
【００６６】
前記膜状物は、前記楕円偏光放射体の単分子膜であってもよいし、該単分子膜の積層膜、自己集積膜、又はグラフト重合膜であってもよい。
前記単分子膜又はそれによる前記積層膜、自己集積膜、又はグラフト重合膜は、例えば、公知の塗布法によって、あるいは、ラングミュア−ブロジェット法（ＬＢ法）、自己集積法、グラフト重合法、などに従って形成することができ、前記ラングミュア−ブロジェット法（ＬＢ法）の場合、公知のＬＢ膜形成装置（例えば、日本レーザー＆エレクトロニクス・ラボラトリーズ社製のＮＬ−ＬＢ４００ＮＫ−ＭＷＣなどが好適に挙げられる）を使用することができる。
【００６７】
前記楕円偏光放射体は、分子側鎖に前記検出標的と相互作用可能な標的捕捉部を有しているのが好ましい。この場合、楕円偏光放射体における該標的捕捉部が前記検出標的と相互作用することにより、前記光照射手段から照射された直線偏光を、前記楕円偏光放射手段が、前記検出標的と相互作用する前に放射する楕円偏光とは異なる楕円偏光として放射し、該楕円偏光を前記楕円偏光検出手段が検出することにより、試料中に存在する前記検出標的を検出することができる。
前記標的捕捉部としては、前記検出標的と相互作用可能である限り、特に制限はなく、目的に応じて適宜選択することができるが、物理吸着及び化学吸着の少なくともいずれかにより前記検出標的と相互作用可能であるのが好ましい。
【００６８】
前記標的捕捉部としては、特に制限はなく、目的に応じて適宜選択することができるが、前記検出標的と相互作用可能な標的捕捉体、などから形成されているのが好ましい。この場合、前記標的捕捉体が直接、前記基板に結合等されて配置されるのではなく、該標的捕捉体が前記楕円偏光放射体の分子側鎖に結合等された上で該楕円偏光放射体が前記基板に結合等されて配置されるので、例えば、該標的捕捉部が有機物である場合には、無機物である前記基板等に直接、結合等させて配置させるよりも、同じ有機物である前記楕円偏光放射体との結合等を介して前記基板上等に配置させる方が容易であり、該標的捕捉部も安定である。また、該標的捕捉部は、前記基板の表面が平滑でなくても、平滑性良く配置されので、前記光照射手段より照射される直線偏光の受光面を平滑化することができる。
【００６９】
前記標的捕捉部としては、前記検出標的を捕捉することができる限り特に制限はなく、目的に応じて適宜選択することができる。
【００７０】
前記捕捉の態様としては、特に制限はないが、物理吸着、化学吸着などが挙げられる。これらは、例えば、水素結合、分子間力（ファン・デル・ワールス力）、配位結合、イオン結合、共有結合などにより形成され得る。本発明において、前記標的捕捉部が金属錯体で形成されている場合には、配位結合が好ましい。
【００７１】
前記標的捕捉部の具体例としては、抗体、抗原、アレルゲン、酵素、酵素基質、補酵素、酵素阻害剤、ホスト化合物、ホルモン、ホルモンレセプター、蛋白質、血液蛋白質、組織蛋白質、細胞、細胞破砕物、核物質、ウイルス、ウイルス粒子、代謝産物、神経伝達物質、ハプテン、薬物、核酸、金属、金属錯体、微生物、寄生虫、細菌、ビオチン、アビジン、レクチン、糖、生理活性物質、生理活性物質受容体、環境物質、化学種又はこれらの誘導体、などから形成されるものが好適に挙げられる。
【００７２】
前記検出標的としては、前記標的捕捉部が、前記酵素で形成されている場合には、前記検出標的は、例えば該酵素の補酵素であり、前記補酵素で形成されている場合には、例えば該補酵素を補酵素とする酵素であり、前記ホスト化合物で形成されている場合には、例えば該ホスト化合物のゲスト化合物（包接される成分）であり、前記抗体で形成されている場合には、例えば該抗体の抗原としての蛋白質であり、前記蛋白質で形成されている場合には、例えば該蛋白質を抗原とする抗体であり、前記核酸で形成されている場合には、例えば該核酸と相補的な核酸、チューブリン、キチン等であり、前記ホルモンレセプターで形成されている場合には、例えば該ホルモンレセプターに受容されるホルモンであり、前記レクチンで形成されている場合には、例えば該レクチンに受容させる糖であり、前記生理活性物質受容体で形成されている場合には、例えば該生理活性物質受容体に受容される生理活性物質である。
【００７３】
なお、前記検出標的を含む試料としては、特に制限はなく、目的に応じて適宜選択することができるが、例えば、細菌、ウイルス等の病原体、生体から分離された血液、唾液、組織病片等、糞尿等の排泄物、などが挙げられる。更に、出生前診断を行う場合は、羊水中に存在する胎児の細胞や、試験管内での分裂卵細胞の一部を試料とすることもできる。また、これらの試料は、直接、又は必要に応じて遠心分離操作等により沈渣として濃縮した後、例えば、酵素処理、熱処理、界面活性剤処理、超音波処理、これらの組合せ等による細胞破壊処理を予め施したものを使用してもよい。
【００７４】
前記ホスト化合物としては、分子認識能（ホスト−ゲスト結合能）を有する限り特に制限はなく、目的に応じて適宜選択することができ、例えば、筒状（一次元）の空洞を有するもの、層状（二次元）の空洞を有するもの、かご状（三次元）の空洞を有するもの、などが好適に挙げられる。
【００７５】
前記筒状（一次元）の空洞を有するホスト化合物としては、例えば、尿素、チオ尿素、デオキシコール酸、ジニトロジフェニル、ジオキシトリフェニルメタン、トリフェニルメタン、メチルナフタリン、スピロクロマン、ＰＨＴＰ（ペルヒドロトリフェニレン）、セルロース、アミロース、シクロデキストリン（但し、溶液中では前記空洞がかご状）などが挙げられる。
【００７６】
前記尿素が捕捉可能な検出標的としては、例えば、ｎ−パラフィン誘導体などが挙げられる。
前記チオ尿素が捕捉可能な検出標的としては、例えば、分岐状又は環状の炭化水素などが挙げられる。
前記デオキシコール酸が捕捉可能な検出標的としては、例えば、パラフィン類、脂肪酸、芳香族化合物などが挙げられる。
前記ジニトロジフェニルが捕捉可能な検出標的としては、例えば、ジフェニル誘導体などが挙げられる。
【００７７】
前記ジオキシトリフェニルメタンが捕捉可能な検出標的としては、例えば、パラフィン類、ｎ−アルケン類、スクアレンなどが挙げられる。
前記トリフェニルメタンが捕捉可能な検出標的としては、例えば、パラフィン類などが挙げられる。
前記メチルナフタリンが捕捉可能な検出標的としては、例えば、Ｃ１６までのｎ−パラフィン類、分岐状パラフィン類などが挙げられる。
前記スピロクロマンが捕捉可能な検出標的としては、例えば、パラフィン類などが挙げられる。
前記ＰＨＴＰ（ペルヒドロトリフェニレン）が捕捉可能な検出標的としては、例えば、クロロホルム、ベンゼン、各種高分子物質などが挙げられる。
前記セルロースが捕捉可能な検出標的としては、例えば、Ｈ２Ｏ、パラフィン類、ＣＣｌ４、色素、ヨウ素などが挙げられる。
前記アミロースが捕捉可能な検出標的としては、例えば、脂肪酸、ヨウ素などが挙げられる。
【００７８】
前記シクロデキストリンは、デンプンのアミラーゼによる分解で生成する環状のデキストリンであり、α−シクロデキストリン、β−シクロデキストリン、γ−シクロデキストリンの３種が知られている。本発明においては、前記シクロデキストリンとして、これらの水酸基の一部を他の官能基、例えば、アルキル基、アリル基、アルコキシ基、アミド基、スルホン酸基などに変えたシクロデキストリン誘導体も含まれる。
【００７９】
前記シクロデキストリンが捕捉可能な検出標的としては、例えば、チモール、オイゲノール、レゾルシン、エチレングリコールモノフェニルエーテル、２−ヒドロキシ−４−メトキシ−ベンゾフェノン等のフェノール誘導体、サリチル酸、パラオキシ安息香酸メチル、パラオキシ安息香酸エチル等の安息香酸誘導体及びそのエステル、コレステロール等のステロイド、アスコルビン酸、レチノール、トコフェロール等のビタミン、リモネン等の炭化水素類、イソチオシアン酸アリル、ソルビン酸、ヨウ素分子、メチルオレンジ、コンゴーレッド、２−ｐ−トルイジニルナフタレン−６−スルホン酸カリウム塩（ＴＮＳ）などが挙げられる。
【００８０】
前記層状（二次元）の包接化合物としては、例えば、粘土鉱物、グラファイト、スメクタイト、モンモリロナイト、ゼオライトなどが挙げられる。
【００８１】
前記粘土鉱物が捕捉可能な検出標的としては、例えば、親水性物質、極性化合物などが挙げられる。
前記グラファイトが捕捉可能な検出標的としては、例えば、Ｏ、ＨＳＯ４−、ハロゲン、ハロゲン化物、アルカリ金属などが挙げられる。
前記モンモリロナイトが捕捉可能な検出標的としては、例えば、ブルシン、コデイン、ｏ−フェニレンジアミン、ベンジジン、ピペリジン、アデニン、グイアニン及びこれらのリポシドなどが挙げられる。
前記ゼオライトが捕捉可能な検出標的としては、例えば、Ｈ２Ｏなどが挙げられる。
【００８２】
前記かご状（三次元）のホスト化合物としては、例えば、ヒドロキノン、気体水化物、トリ−ｏ−チモチド、オキシフラバン、ジシアノアンミンニッケル、クリプタンド、カリックスアレン、クラウン化合物などが挙げられる。
【００８３】
前記ヒドロキノンが捕捉可能な検出標的としては、例えば、ＨＣｌ、ＳＯ２、アセチレン、希ガス元素などが挙げられる。
前記気体水化物が捕捉可能な検出標的としては、例えば、ハロゲン、希ガス元素、低級炭化水素などが挙げられる。
前記トリ−ｏ−チモチドが捕捉可能な検出標的としては、例えば、シクロヘキサン、ベンゼン、クロロホルムなどが挙げられる。
前記オキシフラバンが捕捉可能な検出標的としては、例えば、有機塩基などが挙げられる。
前記ジシアノアンミンニッケルが捕捉可能な検出標的としては、例えば、ベンゼン、フェノールなどが挙げられる。
前記クリプタンドが捕捉可能な検出標的としては、例えば、ＮＨ４＋、各種金属イオンなどが挙げられる。
【００８４】
前記カリックスアレンは、フェノールとホルムアルデヒドとから適当な条件で合成されるフェノール単位をメチレン基で結合した環状オリゴマーであり、４〜８核体が知られている。これらの内、ｐ−ｔ−ブチルカリックスアレン（ｎ＝４）が捕捉可能な検出標的としては、例えば、クロロホルム、ベンゼン、トルエンなどが挙げられる。ｐ−ｔ−ブチルカリックスアレン（ｎ＝５）が捕捉可能な検出標的としては、例えば、イソプロピルアルコール、アセトンなどが挙げられる。ｐ−ｔ−ブチルカリックスアレン（ｎ＝６）が捕捉可能な検出標的としては、例えば、クロロホルム、メタノールなどが挙げられる。ｐ−ｔ−ブチルカリックスアレン（ｎ＝７）が捕捉可能な検出標的としては、例えば、クロロホルムなどが挙げられる。
【００８５】
前記クラウン化合物としては、電子供与性のドナー原子として酸素を持つクラウンエーテルのみではなく、そのアナログとして窒素、硫黄などのドナー原子を環構造構成原子として持つ大環状化合物を含み、また、クリプタンドを代表する２個以上の環よりなる複環式クラウン化合物も含まれ、例えば、シクロヘキシル−１２−クラウン−４、ジベンゾ−１４−クラウン−４、ｔ−ブチルベンゾ−１５−クラウン−５、ジベンゾ−１８−クラウン−６、ジシクロヘキシル−１８−クラウン−６、１８−クラウン−６、トリベンゾ−１８−クラウン−６、テトラベンゾ−２４−クラウン−８、ジベンゾ−２６−クラウン−６などが挙げられる。
【００８６】
前記クラウン化合物が捕捉可能な検出標的としては、例えば、Ｌｉ，Ｎａ、Ｋ等のアルカリ金属、Ｍｇ、Ｃａ等のアルカリ土類金属などの各種金属イオン、ＮＨ４＋、アルキルアンモニウムイオン、グアニジウムイオン、芳香族ジアゾニウムイオンなどが挙げられ、該クラウン化合物はこれらと錯体を形成する。また、該クラウン化合物が捕捉可能な検出標的としては、これら以外にも、酸性度が比較的大きいＣ−Ｈ（アセトニトリル、マロンニトリル、アジポニトリルなど）、Ｎ−Ｈ（アニリン、アミノ安息香酸、アミド、スルファミド誘導体など）、Ｏ−Ｈ（フェノール、酢酸誘導体など）ユニットを有する極性有機化合物などが挙げられ、該クラウン化合物はこれらと錯体を形成する。
【００８７】
前記ホスト化合物の空洞の大きさ（径）としては、特に制限はなく目的に応じて適宜選定することができるが、安定した分子認識能（ホスト−ゲスト結合能）を発揮し得る観点からは０．１ｎｍ〜２．０ｎｍであるのが好ましい。
【００８８】
なお、前記ホスト化合物は、例えば、単分子系ホスト化合物、多分子系ホスト化合物、高分子系ホスト化合物、無機系ホスト化合物などに分類することもできる。
前記単分子系ホスト化合物としては、例えば、シクロデキストリン、クラウン化合物、シクロファン、アザシクロファン、カリックスアレーン、シクロトリペラトリレン、スフェランド、キャビタンド、環状オリゴペプチド、などが挙げられる。
前記多分子系ホスト化合物としては、例えば、尿素、チオ尿素、デオキシコール酸、ペルヒドロトリフェニレン、トリ−ｏ−チモチド、などが挙げられる。
前記高分子系ホスト化合物としては、例えば、セルロース、デンプン、キチン、キトサン、ポリビニルアルコール、などが挙げられる。
前記無機系ホスト化合物としては、例えば、層間化合物、ゼオライト及びＨｏｆｍａｎｎ型錯体、などが挙げられる。
【００８９】
前記抗体としては、抗原と特異的に抗原抗体反応を生じるものであれば特に制限されず、多クローン性抗体であっても、単クローン性抗体であってもよく、更にはＩｇＧ、ＩｇＭ、ＩｇＥ、ＩｇＧのＦａｂ’、Ｆａｂ、Ｆ（ａｂ’）２、なども含まれる。
【００９０】
前記抗原としては、特に制限はなく、前記抗体の種類に応じて適宜選択することができ、例えば、血漿蛋白、腫瘍マーカー、アポ蛋白、ウイルス抗原、自己抗体、凝固・線溶因子、ホルモン、血中薬物、ＨＬＡ抗原、などが挙げられる。
【００９１】
前記血漿蛋白としては、例えば、免疫グロブリン（ＩｇＧ，ＩｇＡ，ＩｇＭ，ＩｇＤ，ＩｇＥ）、補体成分（Ｃ３，Ｃ４，Ｃ５，Ｃ１ｑ）、ＣＲＰ、α１−アンチトリプシン、α１−マイクログロブリン、β２−マイクログロブリン、ハプトグロビン、トランスフェリン、セルロプラスミン、フェリチンなどが挙げられる。
【００９２】
前記腫瘍マーカーとしては、例えば、α−フェトプロテイン（ＡＦＰ）、癌胎児性抗原（ＣＥＡ）、ＣＡ１９−９、ＣＡ１２５、ＣＡ１５−３、ＳＣＣ抗原、前立腺酸性ホスファターゼ（ＰＡＰ）、ＰＩＶＫＡ−ＩＩ、γ−セミノプロテイン、ＴＰＡ、エラスターゼＩ、神経特異エノラーゼ（ＮＳＥ）、免疫抑制酸性蛋白（ＩＡＰ）などが挙げられる。
【００９３】
前記アポ蛋白としては、例えば、アポＡ−Ｉ、アポＡ−ＩＩ、アポＢ、アポＣ−ＩＩ、アポＣ−ＩＩＩ、アポＥなどが挙げられる。
【００９４】
前記ウイルス抗原としては、例えば、Ｂ型肝炎ウイルス（ＨＢＶ）関連抗原、Ｃ型肝炎ウイルス（ＨＶＣ）関連抗原、ＨＴＬＶ−Ｉ、ＨＩＶ、狂犬病ウイルス、インフルエンザウイルス、風疹ウイルスなどが挙げられる。
前記ＨＣＶ関連抗原としては、例えば、ＨＣＶｃ１００−３リコビナント抗原、ｐＨＣＶ−３１リコビナント抗原、ｐＨＣＶ−３４リコビナント抗原などが挙げられ、それらの混合物が好ましく使用できる。前記ＨＩＶ関連抗原としては、ウイルス表面抗原などが挙げられ、例えば、ＨＩＶ−Ｉ  ｅｎｖ．ｇｐ４１リコビナント抗原、ＨＩＶ−Ｉ  ｅｎｖ．ｇｐ１２０リコビナント抗原、ＨＩＶ−Ｉ  ｇａｇ．ｐ２４リコビナント抗原、ＨＩＶ−ＩＩ  ｅｎｖ．ｐ３６リコビナント抗原などが挙げられる。
また、ウイルス以外の感染症としては、ＭＲＳＡ、ＡＳＯ、トキソプラズマ、マイコプラズマ、ＳＴＤなどが挙げられる。
【００９５】
前記自己抗体としては、例えば、抗マイクロゾーム抗体、抗サイログロブリン抗体、抗核抗体、リュウマチ因子、抗ミトコンドリア抗体、ミエリン抗体などが挙げられる。
【００９６】
前記凝固・線溶因子としては、例えば、フィブリノゲン、フィブリン分解産物（ＦＤＰ）、プラスミノゲン、α２−プラスミンインヒビター、アンチトロンビンＩＩＩ、β−トロンボグロブリン、第ＶＩＩＩ因子、プロテインＣ、プロテインＳなどが挙げられる。
【００９７】
前記ホルモンとしては、例えば、下垂体ホルモン（ＬＨ、ＦＳＨ、ＧＨ、ＡＣＴＨ、ＴＳＨ、プロラクチン）、甲状腺ホルモン（Ｔ３、Ｔ４、サイログロブリン）、カルシトニン、副甲状腺ホルモン（ＰＴＨ）、副腎皮質ホルモン（アルドステロン、コルチゾール）、性腺ホルモン（ｈＣＧ、エストロゲン、テストステロン、ｈＰＬ）、膵・消化管ホルモン（インスリン、Ｃ−ペプチド、グルカゴン、ガストリン）、その他（レニン、アンジオテンシンＩ，ＩＩ、エンケファリン、エリスロポエチン）などが挙げられる。
【００９８】
前記血中薬物としては、例えば、カルバマゼピン、プリミドン、バルプロ酸等の抗てんかん薬、ジゴキシン、キニジン、ジギトキシン、テオフィリン等の循環器疾患薬、ゲンタマイシン、カナマイシン、ストレプトマイシン等の抗生物質などが挙げられる。
【００９９】
前記タンパクとしては、多くの重金属、特に亜鉛、カドミウム、銅、水銀などに高い親和性を示す低分子量（約６，０００〜１３，０００）のもの、などが好適に挙げられる。これらのタンパクは、動物の肝臓、腎臓、その他の組織中に存在し、最近では微生物体内にも存在することが見出されている。また、これらのタンパクは、システイン含有量が多く、芳香族の残基を殆ど含まないアミノ酸分布を呈しており、生体内においてカドミウム、水銀などの解毒化機能を有する物質であるとともに、亜鉛，銅など生体に必須の微量金属の貯蔵と、生体内における分布にも関与している重要な物質である。
【０１００】
前記重金属としては、例えば、アルキル水銀化合物（Ｒ−Ｈｇ）、水銀又はその化合物（Ｈｇ）、カドミウム又はその化合物（Ｃｄ）、鉛又はその化合物（Ｐｂ）、六価クロム（Ｃｒ６＋）、銅又はその化合物（Ｃｕ）、亜鉛又はその化合物（Ｚｎ）、シアン、六価クロム、砒素、セレン、マンガン、ニッケル、鉄、亜鉛、セレン、スズなどが挙げられる。
【０１０１】
前記金属錯体としては、前記検出標的と相互作用可能な限り特に制限なく目的に応じて適宜選択できるが、例えば、下記構造式（８）で示されるもの、などが挙げられる。
【０１０２】
構造式（８）
【化２５】
2005017094.tif 000018
【０１０３】
なお、前記構造式（８）で示される金属錯体は、下記構造式（９）、構造式（１０）、構造式（１１）、などのように未配位部を有していてもよく、Ｈ２Ｏ、ＯＨ−、などの配位子を有していてもよい。
【０１０４】
構造式（９）
【化２６】
2005017094.tif 000019
【０１０５】
構造式（１０）
【化２７】
2005017094.tif 000020
【０１０６】
構造式（１１）
【化２８】
2005017094.tif 000021
【０１０７】
前記標的捕捉体を前記楕円偏光放射体の側鎖に結合させる方法としては、特に制限はなく、前記標的捕捉体、前記楕円偏光放射体の種類等に応じて適宜選択することができ、例えば、エステル結合やアミド結合等の共有結合を利用する方法、蛋白質をアビジン標識し、ビオチン化した補足構造体と結合させる方法、蛋白質をアビジン標識し、ビオチン化した補足構造体と結合させる方法、蛋白質をストレプトアビジン化した補足構造体と結合させる方法等の公知の方法が挙げられる。
【０１０８】
本発明の標的検出装置においては、これらの方法により、各種所望の前記標的捕捉体を前記楕円偏光放射体に容易に結合させることができるので、該標的捕捉体を前記基板に直接結合させる場合と異なり、該標的捕捉体又は前記検出標的を広い範囲から自由に選択することができ、該検出装置は、検出目的、検出標的の種類等の如何に拘らず、広く適用可能であり、また、該標的捕捉体の表面の平滑性を維持することができる。更に、前記楕円偏光放射体が、棒状有機分子である場合には、２００〜２２０ｎｍの波長領域に特有のＣＤスペクトルを観察することができ、また、らせん構造中に標的捕捉部があるときには、該標的捕捉部もらせん構造をとるため、前記標的捕捉部に前記検出標的が相互作用したときに、該らせん構造が大きく変化し、これに伴って円二色性も大きく変化するため、前記標的捕捉部が、前記検出標的と相互作用したことを高感度に検出できる。
【０１０９】
前記共有結合を利用する方法としては、例えば、ペプチド法、ジアゾ法、アルキル化法、臭化シアン活性化法、架橋試薬による結合法、ユギ（Ｕｇｉ）反応を利用した固定化法、チオール・ジスルフィド交換反応を利用した固定化法、シッフ塩基形成法、キレート結合法、トシルクロリド法、生化学的特異結合法などが挙げられるが、共有結合などのより安定した結合には、チオール基とマレイミド基の反応、ピリジルジスルフィド基とチオール基の反応、アミノ基とアルデヒド基の反応などを利用して方法が好ましく、化学的結合剤・架橋剤などを使用する方法がより好ましい。
【０１１０】
このような化学的結合剤・架橋剤としては、例えば、カルボジイミド、イソシアネート、ジアゾ化合物、ベンゾキノン、アルデヒド、過ヨウ素酸、マレイミド化合物、ピリジルジスルフィド化合物などが挙げられる。これらの中でも、グルタルアルデヒド、ヘキサメチレンジイソシアネート、ヘキサメチレンジイソチオシアネート、Ｎ，Ｎ’−ポリメチレンビスヨードアセトアミド、Ｎ，Ｎ’−エチレンビスマレイミド、エチレングリコールビススクシニミジルスクシネート、ビスジアゾベンジジン、１−エチル−３−（３−ジメチルアミノプロピル）カルボジイミド、スクシンイミジル  ３−（２−ピリジルジチオ）プロピオネート（ＳＰＤＰ）、Ｎ−スクシンイミジル  ４−（Ｎ−マレイミドメチル）シクロヘキサン−１−カルボキシレート（ＳＭＣＣ）、Ｎ−スルホスクシンイミジル  ４−（Ｎ−マレイミドメチル）シクロヘキサン−１−カルボキシレート、Ｎ−スクシンイミジル  （４−ヨードアセチル）アミノベンゾエート、Ｎ−スクシンイミジル  ４−（１−マレイミドフェニル）ブチレート、イミノチオラン、Ｓ−アセチルメルカプトコハク酸無水物、メチル−３−（４’−ジチオピリジル）プロピオンイミデート、メチル−４−メルカプトブチリルイミデート、メチル−３−メルカプトプロピオンイミデート、Ｎ−スクシンイミジル−Ｓ−アセチルメルカプトアセテートなどが挙げられる。
【０１１１】
本発明の楕円偏光放射手段２０の概略図を図１に示す。基板２４上に楕円偏光放射体２１が形成され、該楕円偏光放射体２１は、検出標的（図示せず）と相互作用可能な標的捕捉部２２を側鎖に有してなる。前記標的捕捉部２２が前記検出標的（図示せず）と相互作用することにより、前記光照射手段から照射された直線偏光を、前記検出標的と相互作用する前に放射する楕円偏光とは異なる楕円偏光として放射することができる。該楕円偏光を検出することにより、前記楕円偏光放射手段２０が前記検出標的と相互作用したことを検出することができる。
【０１１２】
本発明において、前記楕円偏光放射手段は、前記楕円偏光を透過光として放射してもよいし、前記楕円偏光を反射光として放射してもよい。前者の場合、前記標的検出装置を反射型タイプの装置にすることができ、後者の場合、前記標的検出装置を透過型タイプの装置にすることができる。
【０１１３】
＜楕円偏光検出手段＞
前記楕円偏光検出手段は、前記楕円偏光の進路に設けられ、前記楕円偏光放射手段により放射される楕円偏光の存在を検出する機能を有してなり、必要に応じて適宜選択したその他の機能を有してなる。
前記楕円偏光検出手段としては、前記機能を有する限り特に制限なく、目的に応じて適宜選択することができ、例えば、（１）特定の楕円偏光のみを透過可能であり、該楕円偏光が透過したことを検出可能であるもの、（２）楕円偏光の右回り円偏光と左回り円偏光との強度の差を測定することによって間接的に前記楕円偏光を検出可能なもの、などが好適に挙げられる。
【０１１４】
前記（１）の場合には、前記検出標的が前記楕円偏光検出手段と相互作用する前においては、前記特定の楕円偏光を透過不可能とし、かつ前記検出標的と前記楕円偏光放射手段とが相互作用した後においては、前記特定の楕円偏光のみ透過可能にすることにより、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が前記特定の楕円偏光の透過を検出したことをもって、前記検出標的が前記楕円偏光放射手段と相互作用したこと、即ち試料等中における該検出標的の存在を簡便にかつ迅速にしかも高感度に検出することができる。
【０１１５】
更に、透過光量の大小（透過光の強度）によって前記検出標的の定量も行うことができる。即ち、前記特定の楕円偏光の透過光量（透過光の強度）と、前記楕円偏光放射手段による前記検出標的の捕捉量との関係を示す検量線を予め作成しておき、前記検出標的を含有する試料について該検出標的の含有量を測定したいときに、前記特定の楕円偏光の透過光量（透過光の強度）を測定すれば、前記検量線から前記楕円偏光放射手段により捕捉された前記検出標的の量を定量することができる。
【０１１６】
また、前記（２）の場合には、前記楕円偏光検出手段が、前記楕円偏光放射手段と検出標的とが相互作用する前後における楕円偏光の右回り円偏光と左回り円偏光との強度の差を測定することにより、前記特定の楕円偏光を間接的に検出することができ、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が前記特定の楕円偏光を間接的に検出したことをもって、前記検出標的と前記楕円偏光放射手段とが相互作用したこと、即ち試料等中における該検出標的の存在を簡便にかつ迅速にしかも高感度に検出することができる。
【０１１７】
更に、前記楕円偏光検出手段が、前記楕円偏光放射手段と検出標的とが相互作用する前後における楕円偏光の右回り円偏光と左回り円偏光との強度差を測定することによっても、前記検出標的の定量を行うこともできる。即ち、前記楕円偏光放射手段と前記検出標的とが相互作用する前後における楕円偏光の右回り円偏光と左回り円偏光との強度の差と、前記楕円偏光放射手段による前記検出標的の捕捉量との関係を示す検量線を予め作成しておき、前記検出標的を含有する試料について該検出標的の含有量を測定したいときに、前記楕円偏光放射手段と前記検出標的とが相互作用する前後における楕円偏光の前記右回り円偏光と前記左回り円偏光との強度の差を測定すれば、前記検量線から前記楕円偏光放射手段により捕捉された前記検出標的の量を定量することができる。
【０１１８】
前記（１）のものの具体例としては、楕円偏光板と、該楕円偏光板を透過した楕円偏光を検出可能な光検出センサーとの組合せ、などが好適に挙げられる。この場合、前記楕円偏光検出手段と前記検出標的とが相互作用する前においては、前記特定の楕円偏光を透過不可能とし、かつ前記楕円偏光放射手段と前記検出標的とが相互作用した後においては、前記特定の楕円偏光のみ透過可能にすることにより、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が前記特定の楕円偏光の透過を検出したことをもって前記検出標的と前記楕円偏光放射手段とが相互作用したこと、即ち試料等中における該検出標的の存在を簡便にかつ迅速にしかも高感度に検出することができる。
【０１１９】
前記楕円偏光板としては、特に制限はなく、目的に応じて適宜選択することができ、市販品を使用してもよい。
前記光検出センサーとしては、特に制限はなく、目的に応じて適宜選択することができ、例えば、ＣｄＳセル、フォトダイオード、光電管、焦電センサー、ＣＣＤセンサー、ＰＳＤセンサーなどが挙げられる。
【０１２０】
前記（２）のものの具体例としては、光電子増倍管などが好適に挙げられる。この場合、前記楕円偏光放射手段が検出標的と相互作用する前後における楕円偏光の右回り円偏光と左回り円偏光との強度の差を光電子増倍管によって測定することにより、前記特定の楕円偏光を間接的に検出することができ、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が前記特定の楕円偏光を間接的に検出したことをもって、前記検出標的が前記光楕円偏光放射手段と相互作用したこと、即ち試料等中における該検出標的の存在を簡便にかつ迅速にしかも高感度に検出することができる。
【０１２１】
前記右回り円偏光と前記左回り円偏光との強度を測定することにより、ＣＤスペクトルを測定することができる。
前記ＣＤスペクトルは、右回り円偏光と左回り円偏光とのモル吸光係数の差（モル円二色性Δε）を波長（ｎｍ）に対してプロットしたものである。なお、円二色性は、モル楕円率［θ］によっても表され、モル円二色性Δεとの関係で以下の式が成り立つ。
［θ］＝３３００Δε
前記楕円偏光放射手段が前記検出標的と相互作用することにより、前記楕円偏光放射手段が、前記検出標的と相互作用する前とは異なる円二色性を示すため、ＣＤスペクトルが変化することにより、前記楕円偏光放射手段が放射する楕円偏光の変化を間接的に測定でき、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が特定の楕円偏光を間接的に検出したことをもって前記検出標的が前記楕円偏光放射手段と相互作用したこと、即ち試料等中における該検出標的の存在を簡便にかつ迅速にしかも高感度に検出することができる。
また、前記楕円偏光放射手段と前記検出標的とが相互作用する前後におけるＣＤスペクトルの強度差（特に、前記楕円偏光放射体が棒状有機分子から形成されている場合には、前記棒状有機分子において観られる特有の波長（２００〜２２０ｎｍ付近）についての強度差）と、前記楕円偏光放射手段による前記検出標的の捕捉量との関係を示す検量線を予め作成しておき、前記検出標的を含有する試料について該検出標的の含有量を測定したいときに、前記楕円偏光放射手段と前記検出標的とが相互作用する前後におけるＣＤスペクトルの強度差を測定すれば、前記検量線から前記楕円偏光放射手段により捕捉された前記検出標的の量を定量することができる。
【０１２２】
前記ＣＤスペクトルを測定する装置としては、特に制限はなく、目的に応じて適宜選択することができ、例えば、円偏光二色性分散計等が挙げられる。
【０１２３】
本発明の標的検出装置の概略図を図２に示す。この図２に示す標的検出装置は、光照射手段と、楕円偏光放射手段と、楕円偏光検出標的手段と、を有する。前記光照射手段は、光源１９、反射鏡１〜６，スリット７〜９、第一プリズム１０、第二プリズム１１、レンズ１４，ＣＤモジュレーター１５及びフィルタ１８を有する。前記楕円偏光放射手段は、試料箱１７中に含まれている。前記楕円偏光検出手段は、光電子増倍管１６を有する。
光源１９から照射された光は、反射鏡１及び反射鏡６に向かって進行する。反射鏡６に向かって進行した光は、反射鏡６によって反射される。光源１９から直接照射された光及び反射鏡６によって反射された光は、反射鏡１に向かって進行する。反射鏡１に向かって進行した光は、反射鏡１によって反射され、反射鏡２に向かって進行する。反射鏡２に向かって進行する光は、スリット７によりスリット光となり、反射鏡２によって反射され、第一プリズム１０に向かって進行する。第一プリズム１０に向かって進行する光は、光軸水平方向にのみ結晶軸を有する第一プリズム１０によって分光され、反射鏡３に向かって進行する。反射鏡３に向かって進行した光は、反射鏡３によって反射され、反射鏡４に向かって進行する。反射鏡４に向かって進行する光は、スリット８によりスリット光となり、反射鏡４によって反射され、第二プリズム１１に向かって進行する。第２プリズム１１に向かって進行する光は、光軸垂直方向にのみ結晶軸を有する第二プリズム１１によって、光軸垂直方向に分光され、反射鏡５に向かって進行する。反射鏡５に向かって進行する光は、反射鏡５によって反射され、楕円偏光放射手段を含む試料箱１７に向かって進行する。楕円偏光放射手段を含む試料箱１７に向かって進行する光のうち、異常光１３は、スリット９によって遮断され、常光１２のみがスリット９によりスリット光となる。スリット９を通過した常光１２は、レンズ１８及びフィルタ１４を通過し、単色直線偏光となる。該単色直線偏光は、ＣＤモジュレーター１５によって右回り円偏光と左回り円偏光とが交互に出るように変調され、楕円偏光放射手段を含む試料箱１７に照射される。前記光照射手段から照射された単色直線偏光は、楕円偏光放射手段を含む試料箱１７に照射され、前記楕円偏光放射手段によって楕円偏光として放射される。該楕円偏光は、光電子増倍管１６によって検出される。次に、楕円偏光放射手段を含む試料箱１７に検出標的を導入したとき、前記光照射手段によって照射された単色直線偏光は、前記楕円偏光と前記検出標的とが相互作用する前とは異なる楕円偏光として放射される。その結果、光電子増倍管１６が、前記楕円偏光放射手段と前記検出標的とが相互作用する前後における楕円偏光の右回り円偏光と左回り円偏光との強度差を測定することにより、検出標的の存在を間接的に検出できる。
【０１２４】
本発明の標的検出装置においては、前記光照射手段が直線偏光を照射する。前記楕円偏光放射手段が、前記光照射手段から照射された直線偏光を楕円偏光として放射する。前記楕円偏光放射手段は、前記検出標的と相互作用可能であり、該検出標的と相互作用したときに、前記検出標的と相互作用する前に放射される楕円偏光とは異なる楕円偏光を放射する。前記楕円偏光検出手段が、前記楕円偏光放射手段が放射する楕円偏光を検出する。このため、該楕円偏光検出手段が、前記楕円偏光放射手段が前記検出標的と相互作用したときに、前記検出標的と相互作用する前に放射する楕円偏光とは異なる楕円偏光を検出することにより、前記検出標的が前記楕円放射手段と相互作用したこと、即ち、試料等中における該検出標的の存在が検出される。
【０１２５】
本発明の標的検出装置は、各種分野において使用することができ、病原物質、生体物質、有毒物質等の各種標的を効率よくしかも確実にかつ簡便に検出することができ、更にはこれらの定量も行うことができ、診断装置、分析装置、定量装置等として好適に使用することができる。
【０１２６】
（標的検出試薬）
本発明の標的検出試薬は、前記検出標的と相互作用可能な標的捕捉部と、照射された直線偏光を楕円偏光として放射する機能とを少なくとも有してなり、更に必要に応じてその他の機能を有する。
【０１２７】
本発明の標的検査試薬は、前記機能を有する限り特に制限なく、目的に応じて適宜選択することができ、例えば、本発明の標的検出装置における楕円偏光放射手段が有してなる楕円偏光放射体を少なくとも有してなり、更に必要に応じて適宜選択したその他の成分を有してなるもの、などが好ましい。
【０１２８】
前記その他の成分としては、特に制限はなく、目的に応じて公知のものの中から適宜選択することができ、例えば、溶媒、分散媒、防腐剤、防カビ剤、精製水、などが挙げられる。
前記溶媒としては、特に制限はなく、目的に応じて公知のものの中から適宜選択することができ、イソプロパノール、エタノール、６から２４の炭素数を有する脂肪酸のトリグリセリド、グリコールエーテル、ポリアルキレングリコールエステル、などが挙げられ、これらは１種単独で使用してもよく、２種以上併用してもよい。
前記分散媒としては、特に制限はなく、目的に応じて公知のものの中から適宜選択することができ、例えば、ヘキサン、シクロヘキサン、四塩化炭素、クロロホルム、ジクロロメタン、ジクロロエタン、ジエチルエーテル、１，２−ジメトキシエタン、テトラヒドロフラン、１．４−ジオキサン、酢酸エチル、Ｎ，Ｎ−ジメチルホルムアミド、ヘキサメチルホスホルアミド、アセトン、アセトニトリル、メタノール、エタノール、ニトロメタン、ジミチルスルホキシド、スルホランなどの脂肪族溶媒やベンゼン、トルエン、ナフタレン、クロロベンゼン、アニソール、ジフェニルエーテル、ピリジン、ニトロベンゼン等の芳香族溶媒などの低分子量有機化合物、オリゴマーあるいはポリマー、などが挙げられ、これらは１種単独で使用してもよいし、２種以上を併用してもよい。
前記防腐剤としては、特に制限はなく、公知のものの中から目的に応じて適宜選択することができ、例えば、ポリヘキサメチレンビグアニド、クロルヘキシジン塩、ポリクワテリウム１、ポリクワテリウム６、ポリクワテリウム７、ポリクワテリウム１６、ポリクワテリウム２２、ベンザルコニウム塩、ソルビン酸塩、デヒドロ酢酸塩、などが挙げられ、これらは１種単独で使用してもよいし、２種以上を併用してもよい。
前記防カビ剤としては、特に制限はなく、公知のものの中から目的に応じて適宜選択することができ、例えば、抗微生物活性成分、イソチアゾロン系化合物、イソチアゾロン系化合物の包接化合物、などが挙げられ、これらは１種単独で使用してもよいし、２種以上を併用してもよい。
【０１２９】
本発明の標的検出試薬は、照射された直線偏光を、前記標的捕捉部が前記検出標的と相互作用した後に、前記検出標的と相互作用する前に放射する楕円偏光とは異なる楕円偏光を放射する。なお、直線偏光を照射する手段としては、例えば、本発明の標的検出装置における前記光照射手段を好適に用いることができる。また、前記楕円偏光を検出する手段としては、本発明の標的検出装置における前記楕円偏光検出手段を好適に用いることができる。
【０１３０】
本発明の標的検出試薬は、例えば、検出標的を含む試料等中に導入して使用した場合に、例えば、前記光照射手段によって照射された直線偏光を、前記標的捕捉部が前記検出標的と相互作用したときに、前記検出標的と相互作用する前に放射する楕円偏光とは異なる楕円偏光を放射し、該楕円偏光を前記楕円偏光検出手段が検出することにより、前記楕円偏光を検出することができ、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、前記楕円偏光検出手段が特定の楕円偏光を検出したことをもって、前記検出標的が前記標的検出試薬と相互作用したこと、即ち試料等中における該検出標的の存在を簡便にかつ迅速にしかも高感度に検出することができる。
【０１３１】
本発明の標的検出装置は、各種分野において使用することができ、病原物質、生体物質、有毒物質等の各種標的を効率よくしかも確実にかつ簡便に検出することができ、更にはこれらの定量も行うことができ、診断装置、分析装置、定量装置等として好適に使用することができる。
【０１３２】
（標的検出方法）
本発明の標的検出方法は、楕円偏光放射工程と、楕円偏光検出工程とを含み、更に必要に応じてその他の工程を含む。
本発明の標的検出方法は、本発明の標的検出装置又は本発明の標的検出試薬を使用して好適に実施することができる。
【０１３３】
前記楕円偏光放射工程は、前記検出標的と相互作用可能な▲１▼楕円偏光放射手段又は▲２▼標的検出試薬に対して直線偏光を照射し、前記▲１▼楕円偏光放射手段又は前記▲２▼標的検出試薬と、前記検出標的とが相互作用したときに、前記検出標的と相互作用する前に放射する楕円偏光とは異なる楕円偏光を放射させる工程である。
【０１３４】
前記楕円偏光放射手段としては、上述した本発明の標的検出装置における前記楕円偏光放射手段を好適に使用することができる。この場合、前記楕円偏光検出手段と前記検出標的とが相互作したときに、前記検出標的と相互作用する前に放射する楕円偏光とは異なる楕円偏光を簡便かつ確実に放射できる点で好ましい。
【０１３５】
前記標的検出試薬としては、上述した本発明の標的検出試薬を好適に使用することができる。この場合、前記検出標的試薬と前記検出標的とが相互作用したときに、前記検出標的と相互作用する前に放射する楕円偏光とは異なる楕円偏光を簡便かつ確実に放射できる点で好ましい。
【０１３６】
前記楕円偏光検出工程は、前記楕円偏光放射工程によって放射される楕円偏光を検出させる工程である。
前記楕円偏光検出工程においては、上述した本発明の標的検出装置における前記楕円偏光検出手段を好適に使用することができる。この場合、前記楕円偏光放射工程から放射される、前記楕円偏光放射手段又は前記標的検出試薬と前記検出標的とが相互作用する前に放射する楕円偏光とは異なる楕円偏光を、前記楕円偏光検出工程によって検出させることにより、通常の分光法によるスペクトル曲線を測定しただけではその僅かな変化を検出するのが極めて困難である場合、即ち極僅かな波長変化（波長シフト）しかない場合であっても、簡便かつ確実に検出可能であり、該楕円偏光を検出したことをもって、前記検出標的と、前記▲１▼楕円偏光放射手段又は前記▲２▼標的検出試薬とが相互作用したこと、即ち試料等中における該検出標的の存在を簡便にかつ迅速にしかも高感度に検出することができる。
【０１３７】
本発明の標的検出方法においては、前記楕円偏光放射工程において照射された直線偏光を楕円偏光として放射させる。前記楕円偏光検出工程において、前記楕円偏光放射工程によって放射された楕円偏光を検出させる。このため、前記楕円偏光放射工程において、前記▲１▼楕円偏光放射手段又は前記▲２▼検出標的試薬と、前記検出標的とが相互作用する前に放射する楕円偏光とは異なる楕円偏光が放射され、該楕円偏光を前記楕円偏光検出工程において検出させることにより、前記検出標的が前記楕円放射手段と相互作用したこと、即ち、試料等中における該検出標的の存在が検出される。
【０１３８】
本発明の標的検出方法は、各種分野において使用することができ、病原物質、生体物質、有毒物質等の各種標的を効率よくしかも確実にかつ簡便に検出することができ、更にはこれらの定量も行うことができ、診断、分析、定量等として好適に用いることができる。
【０１３９】
【実施例】
以下、本発明の実施例を説明するが、本発明はこれらの実施例に何ら限定されるものではない。
【０１４０】
（実施例１）
−楕円偏光放射手段の作製−
ポリ−γ−メチル−Ｌ−グルタメート（ＰＭＬＧ）（シグマアルドリッチジャパン社製）の二塩化エチレン（ＥＤＣ）（和光純薬社製）溶液をフラットシャーレに流延し、４０℃、溶媒蒸気圧下でキャストした後、室温で２４時間真空乾燥を行い、ＰＭＬＧ膜を形成した。得られたＰＭＬＧ膜を２−アミノピリジン溶液に含浸し、真空下、５０℃で３０分間、アミノリシス反応を行うことにより、γ―メチル−Ｌ−グルタメート側鎖に２−アミノピリジンを導入した。反応後、該膜をメタノールで洗浄することにより、厚みが５０μｍである（Ｎω−２−ピリジルメチル−Ｌ−グルタミン／γ−メチル−Ｌ−グルタメート）共重合膜を得た。該共重合膜とＣｕＣｌ２・Ｈ２ＯとをＴＦＥ（トリフルオロエタノール）溶液中で錯体形成反応させることにより、該共重合膜中のＮ−２−ピリジルメチルプロピオンアミド（２ＰＰｒ）基とＣｕ２＋とが等モル錯体形成反応した標的検出試薬を調製した。
【０１４１】
−ＣＤスペクトルの測定−
前記石英ガラス上に配した検出標的試薬中に、検出標的であるポリ−４−ビニルピリジン（Ｐ４ＶＰ）を２．０×１０―３ｒｅｓｉｄｕｅ  Ｍ（Ｃｕ錯体残基として換算）添加し、十分に混合した。そして、前記検出標的混合前と混合後のＣＤスペクトルを、窒素気流中、円偏光二色性分散計（日本分光社製、Ｊ−８２０）を用いて測定した。結果を図３に示す。なお、前記検出標的混合後、８時間経過した後において、ＣＤスペクトルが安定したため、このときのＣＤスペクトルを図３に示した。また、ＣＤスペクトルの測定条件としては、以下の通りである。即ち、前記光照射手段において、光源としては、キセノンランプを用い、プリズムとしては、ダブルプリズムを用い、変調器としては、ピエゾエラステレックモジュレーター（ＰＥＭ）を用いた。また、前記楕円偏光検出手段において、測定波長範囲は、１９０〜８００ｎｍとし、測定モードは、スペクトル測定とした。更に、前記検出標的試薬及び前記検出標的の混合物は、長さ０．０１ｄｍのセルに入れて測定した。図３中、縦軸は、モル楕円率［θ］を示し、横軸は波長λを示し、［θ］の絶対値の値が大きいほどＣＤ活性であることを示す。ここで、前記モル楕円率［θ］は以下の式で計算される。
［θ］＝θＭ／Ｌｃ
（式中、θは実測の楕円角（度）を示し、Ｍは分子量を示し、Ｌはセル長（ｄｍ）を示し、ｃは濃度（溶媒ｇ／１００ｃｍ３溶液）を示す。）
また、前記モル楕円率［θ］は、楕円偏光の右回り円偏光と左回り円偏光とのモル吸光度の差を表すモル円二色性Δε（ｄｍ３ｍｏｌ−１ｃｍ−１）と、の関係においては、以下の式が成り立つ。
［θ］＝３３００Δε
【０１４２】
図３において、前記検出標的（Ｐ４ＶＰ）の混合前においては、側鎖２ＰＰｒ基がＣＤ活性な場合に帰属されるピーク（２５０ｎｍ以上の波長に観られるピーク）は存在しない。即ち、側鎖２ＰＰｒ基がＣＤ活性でないことを示している。一方、前記検出標的（Ｐ４ＶＰ）の混合後においては、２５０ｎｍ以上の波長において、２つの励起子分裂スペクトルが観られる。前記励起子分裂スペクトルの一つ、即ち、第一励起子分裂スペクトルは、３５１ｎｍに［θ］の極大値をもち、かつ、２９４ｎｍに［θ］の極小値をもつ。該第一励起子分裂スペクトルは、側鎖２ＰＰｒ基における、脱プロトン化アミドからＣｕ２＋への電荷移動に帰属される。一方、他の励起子分裂スペクトルは、即ち、第二励起子分裂スペクトルは、２７０ｎｍに［θ］の極大値をもち、かつ、２５５ｎｍに［θ］の極小値をもつ。該第二励起子分裂スペクトルは、側鎖２ＰＰｒ基のピリジン環に帰属される。前記第一励起子分裂スペクトル及び第二励起子分裂スペクトルが観られたことにより、側鎖２ＰＰｒ基と、前記検出標的が相互作用して、前記２ＰＰｒ基がＣｕ２＋を介してＰ４ＶＰに固定化されたことが判る。更に、２０５ｎｍの波長において、側鎖２ＰＰｒ基におけるＣ＝Ｏに帰属される負のピークの著しい増加が観られた。このピークは、前記側鎖２ＰＰｒ基と、前記Ｐ４ＶＰとが相互作用することにより、前記側鎖２ＰＰｒ基の揺らぎが制御されていることを示唆している。なお、２０５ｎｍ付近の負のピークは、前記検出標的試薬に、前記検出標的（Ｐ４ＶＰ）混合後、徐々に増加していったが、前記検出標的（Ｐ４ＶＰ）を混合後、８時間経過後に最大となり略一定となった。この結果により、前記検出標的（Ｐ４ＶＰ）のすべてが、前記側鎖２ＰＰｒと完全に相互作用をしたことが判る。
以上により、図４に示すように前記検出標的試薬３０（側鎖に２−アミノピリジンを有するγ―メチル−Ｌ−グルタメート）と前記検出標的３１（Ｐ４ＶＰ）とが相互作用したことを検出することができた。
【０１４３】
（実施例２）
−検出標的の定量−
実施例１において、検出標的であるポリ−４−ビニルピリジン（Ｐ４ＶＰ）の導入量を１．０×１０―４ｒｅｓｉｄｕｅ  Ｍから各々４．０×１０―４、１０．０×１０―４、２０．０×１０―４、４０．０×１０―４ｒｅｓｉｄｕｅ  Ｍに変更した以外は、実施例１と同様にして楕円偏光の検出を行った。このときの前記検出標的（Ｐ４ＶＰ）の導入量（ｒｅｓｉｄｕｅ  Ｍ）と、前記側鎖２ＰＰｒ基におけるＣ＝Ｏに帰属される負のピーク（２０５ｎｍ付近）の強度との関係を図５に示す。
この図５は、前記検出標的（Ｐ４ＶＰ）の物質量（ｒｅｓｉｄｕｅ  Ｍ）と、前記側鎖２ＰＰｒ基におけるＣ＝Ｏに帰属される負のピーク（２０５ｎｍ付近）の強度との関係を示す検量線である。即ち、前記検出標的（Ｐ４ＶＰ）の含有量が不明である試料を、前記楕円偏光放射手段に導入したときに、前記側鎖２ＰＰｒ基におけるＣ＝Ｏに帰属される負のピーク（２０５ｎｍ付近）の強度を測定することにより前記試料中の前記検出標的（Ｐ４ＶＰ）の物質量（ｒｅｓｉｄｕｅ  Ｍ）を測定することができる。
【０１４４】
（実施例３）
−標的検出試薬の調製−
γ−ベンジル−Ｌ−グルタメート（シグマアルドリッジ社製）２０ｇ（８４．３ｍｍｏｌ）を含むＴＨＦ（テトラヒドロフラン）溶液４５０ｍｌを６０℃で加熱しながら窒素を通気した後、トリホスゲン（和光純薬社製）９．０ｇ（３０．３ｍｍｏｌ）を添加し、６０℃で１５分間反応させた。得られた反応溶液を空冷し、減圧濃縮した後、ヘキサンを加えてγ−ベンジル−Ｌ−グルタメート−Ｎ−カルボキシ酸無水物（ＢＬＧ−ＮＣＡ）を結晶化させ、該ＢＬＧ−ＮＣＡの結晶を濾別し、更にヘキサンで洗浄した後、真空乾燥してＢＬＧ−ＮＣＡの白色結晶１７．２ｇを得た。このとき、収率は７８％であった。
該ＢＬＧ−ＮＣＡの白色結晶１７．２ｇ（６３．５ｍｍｏｌ）をＤＭＦ（Ｎ−Ｎ−ジメチルホルムアミド）１５ｍｌに溶解し、更に重合開始剤としてｎ−ヘキシルアミン２８μｌを添加し（このときＮＣＡ：重合開始剤が３００：１となる）、室温で２日間攪拌して重合反応をさせた。なお、重合反応の終期は、赤外分光スペクトル（測定手段）を測定したときに、ヘリックス構造に観られる特徴的なピーク（１６５０ｃｍ−１及び１５４６ｃｍ―１に観測されるアミドピーク）が観測され、更に、ＢＬＧ−ＮＣＡに観られる特徴的なピーク（１７８０ｃｍ−１及び１８５０ｃｍ−１に観測されるエステルピーク）が消失したときとした。重合反応させて得られた溶液１５ｍｌをジエチルエーテル５００ｍｌ中に滴下し、白色結晶を析出させ、該白色結晶を遠心分離により分離した後、ジエチルエーテルで更に洗浄し、ポリベンジル−Ｌ−グルタメート（ＰＢＬＧ３００−Ｈｅｘ）１６．３ｇを得た。このとき、収率は９５％であった。なお、ＧＰＣ分析をした結果、重合度は３００であり、また、Ｍｗ／Ｍｎ（分子量分布）は１．１０であった。
次に、前記ＰＢＬＧ３００−Ｈｅｘ１０．０ｇ（０．１５ｍｍｏｌ）に、ＢＬＧ残基に対して１００ｍｏｌ％に相当するＫＯＨ（２．４ｇ）を含む水溶液／メタノール／２−プロパノール（１：２：２）溶液５０ｍｌを添加し、室温で２日間攪拌してベンジル残基を加水分解した。その後、ＮＭＲ（核磁気共鳴分光法）により前記ベンジル残基の加水分解率（１００％）を確認し、塩酸をｐＨが７になるように添加して加水分解を停止させて、沈殿物を得た。該沈殿物を濾過した後、濾過物を希塩酸により洗浄し、真空乾燥させ、ポリ−Ｌ−グルタメート（ＰＬＧＡ３００−Ｈｅｘ）の白色粉末４．５ｇを得た。このとき、収率は７６％であった。
次に前記ＰＬＧＡ３００−Ｈｅｘ４．５ｇ（０．１５ｍｍｏｌ）をジメチルアセトアミド（ＤＭＡｃ）に溶解した溶液１５ｍｌに、５−（ビオチンアミド）ペンチルアミン（ＰＩＥＲＣＥ社製）０．１２ｇ（０．３６ｍｏｌ）、及びＮ−Ｎ’−ジシクロヘキシルカルボジイミド０．０７３ｇ（３．２４ｍｏｌ）を添加し、８０℃で５時間加熱攪拌して、沈殿物を得た。得られた沈殿物を濾別した後、１ＮのＨＣｌを添加した。得られた白色粉末を濾別し、更に真空乾燥して、検出標的試薬である側鎖にビオチンを有するポリ−Ｌ−グルタメート（ＰＬＧＡ２７０）（ｂｉｏ−ＬＧ３０）−Ｈｅｘ）３．５ｇを得た。このとき、収率は６０％であった。
【０１４５】
−ＣＤスペクトルの測定−
実施例１において、石英ガラス上に配した検出標的試薬を、側鎖にビオチンを有するポリ−Ｌ−グルタメート（ＰＬＧＡ２７０）（ｂｉｏ−ＬＧ３０）−Ｈｅｘ）水溶液（濃度８．４×１０−６Ｍ）に、ポリ−４−ビニルピリジンを、ビオチン基と同モル数のアビジン（重量平均分子量：６８，０００、濃度９．１×１０−７Ｍ）に代えた以外は実施例１と同様にしてＣＤスペクトルを測定した。結果を図６に示す。なお、前記検出標的試薬（側鎖にビオチンを有するポリ−Ｌ−グルタメート）に、前記アビジンを導入してすぐにＣＤスペクトルが変化した。これにより、前記検出標的試薬と、前記アビジンとが１０分以内に相互作用したことが判る。
図６の結果から、２０５ｎｍ付近の波長、及び２２３ｎｍ付近の波長におけるピークの強度は、前記検出標的試薬（側鎖にビオチンを有するポリ−Ｌ−グルタメート）に前記アビジンを導入する前よりも減少したことが判る。この強度変化は、ポリ−Ｌ−グルタメート中のαヘリックス構造が変化したことに起因することから、前記側鎖にビオチンを有するポリ−Ｌ−グルタメートとビオチンとが結合したことが判る。なお、このときの前記側鎖にビオチンを有するポリ−Ｌ−グルタメートとビオチンとの結合の概略図を図７に示す。
【０１４６】
（実施例４）
実施例３において、ビオチン基と同モル数のアビジン（重量平均分子量：６８，０００、濃度９．１×１０−７Ｍ）から、各々ビオチン基に対して、０．１、１０．０倍モル数のアビジンに代えた以外は実施例３と同様にしてＣＤスペクトルを測定した。結果を図８に示す。図８の結果から、前記ビオチン基に対して０．１倍モル数のアビジンを用いた場合においても、前記ビオチン基に対して同モル数及び１０．０倍モル数のアビジンを用いた場合と同様なＣＤスペクトルの変化が観察されたことから、前記ポリ−Ｌ−グルタメート１分子につき、前記アビジンが１分子結合しただけでも、ＣＤスペクトルが大きく変化することが判る。
【０１４７】
【発明の効果】
本発明によると、従来における問題を解決し、病原物質、生体物質、有毒物質等の各種標的を高価な測定装置等を用いることなく、測定誤差を小さくして効率よく簡便かつ迅速にしかも高感度に検出可能であり、更には定量も可能な標的検出装置及び標的検出方法、並びに、それらに好適に用いられる検出標的試薬を提供することができる。
【図面の簡単な説明】
【図１】図１は、楕円偏光放射手段の概略図である。
【図２】図２は、本発明の標的検出装置の概略図である。
【図３】図３は、実施例１における標的検出試薬と検出標的との相互作用する前後におけるＣＤスペクトルのデータである。
【図４】図４は、標的検出試薬と検出標的が相互作用したときの一例を示す概略図である。
【図５】図５は、Ｐ４ＶＰの物質量（ｒｅｓｉｄｕｅ  Ｍ）と、実施例３において作製された楕円偏光放射手段の側鎖２ＰＰｒ基におけるＣ＝Ｏに帰属される負のピーク（２０５ｎｍ付近）の強度との関係を示す検量線である。
【図６】図６は、実施例３における標的検出試薬と検出標的との相互作用する前後におけるＣＤスペクトルのデータである。
【図７】図７は、標的検出試薬と検出標的が相互作用したときの一例を示す概略図である
【図８】図８は、実施例４における標的検出試薬と検出標的との相互作用する前後におけるＣＤスペクトルのデータである。
【符号の説明】
１      反射鏡
２      反射鏡
３      反射鏡
４      反射鏡
５      反射鏡
６      反射鏡
７      スリット
８      スリット
９      スリット
１０      第一プリズム（光軸水平）
１１      第二プリズム（光軸垂直）
１２      常光
１３      異常光
１４      レンズ
１５      ＣＤモジュレーター
１６      光電子増倍管
１７      楕円偏光放射手段を含む試料箱
１８      フィルタ
１９      光源
２０      楕円偏光放射手段
２１      楕円偏光放射体
２２      楕円偏光捕捉体
２４      基板
３０      検出標的試薬
３１      検出標的
３２      側鎖にビオチンを有するポリ−Ｌ−グルタメート
３３      アビジン
【図１】
2005017094.tif 000030
【図２】
2005017094.tif 000031
【図３】
2005017094.tif 000032
【図４】
2005017094.tif 000033
【図５】
2005017094.tif 000034
【図６】
2005017094.tif 000035
【図７】
2005017094.tif 000036
【図８】
2005017094.tif 000037